(57)【要約】【課題】本発明は、通話受信処理のための装置、方法及び記録媒体を提供する。【解決手段】本発明による通信端末機での通話受信処理方法は、通話受信イベントを感知する段階と、最上位レイヤーアプリケーションで設定された第１アプリケーションの動作が維持されるようにしながら前記第１アプリケーションの表示領域のうちで一部領域に通話受信お知らせメッセージを表示する段階と、使用者の通話受信選択を感知する場合前記第１アプリケーションの動作が維持されるようにしながらバックグラウンドで通話処理を遂行する段階と、を含むことを特徴とする。【選択図】図１
2015159557.tif 000002
【特許請求の範囲】
【請求項１】
通信端末機の制御方法において、
(ａ)通話受信イベントを感知する段階と、
(ｂ)最上位レイヤーアプリケーションで設定された第１アプリケーションの動作が維持されるようにしながら前記第１アプリケーションの表示領域のうちで一部領域と前記第１アプリケーションの表示領域とは区別される別個の領域のうちで少なくともいずれか一つの領域に通話受信お知らせメッセージを表示する段階と、
(ｃ)使用者の通話受信選択を感知する場合前記第１アプリケーションの動作が維持されるようにしながらバックグラウンドで通話処理を遂行する段階と、を含み、
前記(ｂ)段階の通話受信お知らせメッセージには‘見ながら通話'メニューと‘通話'メニューが共に含まれて、
前記(ｃ)段階では、使用者の前記‘見ながら通話'メニュー選択時には前記第１アプリケーションの動作が維持されるようにしながらバックグラウンドで通話処理を遂行して、使用者の前記‘通話'メニュー選択時には通話処理アプリケーションを最上位レイヤーアプリケーションで設定して画面転換を制御して該当通話処理アプリケーションによって通話処理がなされるように制御することを特徴とする通信端末機の制御方法。
【請求項２】
通信端末機の制御方法において、
(ａ)通話受信イベントを感知する段階と、
(ｂ)最上位レイヤーアプリケーションで設定された第１アプリケーションの動作が維持されるようにしながら前記第１アプリケーションの表示領域のうちで一部領域と前記第１アプリケーションの表示領域とは区別される別個の領域のうちで少なくともいずれか一つの領域に通話受信お知らせメッセージを表示する段階と、
(ｃ)使用者の通話受信選択を感知する場合前記第１アプリケーションの動作が維持されるようにしながらバックグラウンドで通話処理を遂行する段階と、を含み、
前記(ｃ)段階では、使用者の通話受信選択を感知する場合、既に具備された近接センサー部の機能を非活性化させて、前記第１アプリケーションの動作が維持されるようにしながらバックグラウンドで通話処理がなされるように制御し、
前記(ｃ)段階では、
既に具備された複数個の通話モードのうちで第１通話モードの選択を感知する場合には、前記近接センサー部の機能を活性化させて、前記複数個の通話モードのうちで第２通話モードの選択を感知する場合には前記近接センサー部の機能を非活性化させ、
前記(ｃ)段階では、前記第１通話モードの選択を感知する場合前記第１通話モードに対応されるＯＥＭ通話アプリケーションを最上位レイヤーアプリケーションで設定して画面転換を制御して、該当ＯＥＭ通話アプリケーションによって通話処理がなされるように制御して、前記第２通話モードの選択を感知する場合前記第１アプリケーションの動作が維持されるようにしながらバックグラウンドで通話処理がなされるように制御することを特徴とする通信端末機の制御方法。
【請求項３】
通信端末機の制御方法において、
(ａ)通話受信イベントを感知する段階と、
(ｂ)最上位レイヤーアプリケーションで設定された第１アプリケーションの動作が維持されるようにしながら前記第１アプリケーションの表示領域のうちで一部領域と前記第１アプリケーションの表示領域とは区別される別個の領域のうちで少なくともいずれか一つの領域に通話受信お知らせメッセージを表示する段階と、
(ｃ)使用者の通話受信選択を感知する場合前記第１アプリケーションの動作が維持されるようにしながらバックグラウンドで通話処理を遂行する段階と
(ｄ)前記第１アプリケーションの再生ボリューム調整のための第１タッチボリュームインターフェースがディスプレイされるように制御する段階とを含み、
前記(ｄ)段階は、前記(ｃ)段階の通話処理と関連されたボリューム調整のための第２タッチボリュームインターフェースがディスプレイされるように制御する段階をさらに含み、
前記第１タッチボリュームインターフェースと前記第２タッチボリュームインターフェースが既設定された値の透明度を有するように処理して、前記第１タッチボリュームインターフェース及び前記第２タッチボリュームインターフェースと重畳される前記第１アプリケーションの表示領域の映像が映るようにし、
使用者の前記第１タッチボリュームインターフェースと前記第２タッチボリュームインターフェースのうちで少なくともいずれか一つに対するタッチ入力と既設定された時間経過のうちで少なくともいずれか一つが感知されれば、前記第１タッチボリュームインターフェースと前記第２タッチボリュームインターフェースの透明度を既設定された値に増加させる段階をさらに含むことを特徴とする通信端末機の制御方法。
【請求項４】
使用者入力部と、
通話受信イベントを感知するイベント感知部と、
前記イベント感知部が通話受信イベントを感知した場合、最上位レイヤーアプリケーションで設定された第１アプリケーションの動作が維持されるようにしながら前記第１アプリケーションの表示領域のうちで一部領域と前記第１アプリケーションの表示領域とは区別される別個の領域のうちで少なくともいずれか一つの領域に通話受信お知らせメッセージが表示されるように制御するお知らせ部と、
使用者の前記使用者入力部を通じた通話受信選択を感知する場合、前記第１アプリケーションの動作が維持されるようにしながらバックグラウンドで通話処理を遂行する通話処理部と、を含み、
前記通話受信お知らせメッセージには‘見ながら通話'メニューと‘通話'メニューが共に含まれて、
前記通話処理部は、使用者の前記‘見ながら通話'メニュー選択時には前記第１アプリケーションの動作が維持されるようにしながらバックグラウンドで通話処理を遂行して、使用者の前記‘通話'メニュー選択時には通話処理アプリケーションを最上位レイヤーアプリケーションで設定して画面転換を制御して該当通話処理アプリケーションによって通話処理がなされるように制御することを特徴とする通信端末機。
【請求項５】
使用者入力部と、
通話受信イベントを感知するイベント感知部と、
前記イベント感知部が通話受信イベントを感知した場合、最上位レイヤーアプリケーションで設定された第１アプリケーションの動作が維持されるようにしながら前記第１アプリケーションの表示領域のうちで一部領域と前記第１アプリケーションの表示領域とは区別される別個の領域のうちで少なくともいずれか一つの領域に通話受信お知らせメッセージが表示されるように制御するお知らせ部と、
使用者の前記使用者入力部を通じた通話受信選択を感知する場合、前記第１アプリケーションの動作が維持されるようにしながらバックグラウンドで通話処理を遂行する通話処理部と、
外部被写体の近接状態を感知する近接センサー部と、
前記使用者入力部を通じた通話受信選択を感知する場合、既に具備された近接センサー部の機能を非活性化させるセンサー制御部とを含み、
前記センサー制御部は、既に具備された複数個の通話モードのうちで第１通話モードの選択を感知する場合には、前記近接センサー部の機能を活性化させて、前記複数個の通話モードのうちで第２通話モードの選択を感知する場合には、前記近接センサー部の機能を非活性化させ、
前記通話処理部は、前記使用者入力部を通じた第１通話モードの選択を感知する場合、前記第１通話モードに対応されるＯＥＭ通話アプリケーションを最上位レイヤーアプリケーションで設定して画面転換を制御して、該当ＯＥＭ通話アプリケーションによって通話処理がなされるように制御して、前記使用者入力部を通じた第２通話モードの選択を感知する場合、前記第１アプリケーションの動作が維持されるようにしながらバックグラウンドで通話処理がなされるように制御することを特徴とする通信端末機。
【請求項６】
使用者入力部と、
通話受信イベントを感知するイベント感知部と、
前記イベント感知部が通話受信イベントを感知した場合、最上位レイヤーアプリケーションで設定された第１アプリケーションの動作が維持されるようにしながら前記第１アプリケーションの表示領域のうちで一部領域と前記第１アプリケーションの表示領域とは区別される別個の領域のうちで少なくともいずれか一つの領域に通話受信お知らせメッセージが表示されるように制御するお知らせ部と、
使用者の前記使用者入力部を通じた通話受信選択を感知する場合、前記第１アプリケーションの動作が維持されるようにしながらバックグラウンドで通話処理を遂行する通話処理部と、を含み、
前記第１アプリケーションの再生ボリューム調整のための第１タッチボリュームインターフェースがディスプレイ部に表示されるように制御するボリューム調整部を含み、
前記ボリューム調整部は、前記通話処理部による通話処理と関連されたボリューム調整のための第２タッチボリュームインターフェースがディスプレイされるように制御し、
前記ボリューム調整部は、第１タッチボリュームインターフェースと前記第２タッチボリュームインターフェースが既設定された値の透明度を有するように処理して、前記第１タッチボリュームインターフェース及び前記第２タッチボリュームインターフェースと重畳される前記第１アプリケーションの表示領域の映像が映るようにし、
使用者の前記第１タッチボリュームインターフェースと前記第２タッチボリュームインターフェースのうちで少なくともいずれか一つに対するタッチ入力と既設定された時間経過のうちで少なくともいずれか一つが感知されれば、前記ボリューム調整部は前記第１タッチボリュームインターフェースと前記第２タッチボリュームインターフェースの透明度を既設定された値に増加させることを特徴とする通信端末機。
【発明の詳細な説明】
【技術分野】
【０００１】
本発明は、通信端末機及びその制御方法とこのための記録媒体に関するものであり、より詳細には、所定のアプリケーションが実行されている状態で着信号が発生する場合を処理するための装置、方法及び記録媒体に関するものである。
【背景技術】
【０００２】
最近携帯電話には、電話通話のための機能以外にもさまざまな機能が含まれているが、特に、使用者は携帯電話でマルチメディアファイルを再生させて視聴するか、または所定のゲームを実行することができるようになった。
【０００３】
ところで、このようにマルチメディアファイルが実行されているか、またはゲームを実行している中に電話がかかって来る場合、そのマルチメディアファイルの再生が中断されるか、またはゲームの実行が中断されて強制に通話モードに転換されることでアプリケーションの沒入を邪魔する問題がある。
【０００４】
特に、最近１分単位で実行されるゲームらが盛んでいるが、この場合ゲームの点数を高めるための沒入または集中の程度が他のアプリケーションに比べるところではないが、この場合ゲーム中に電話がかかって来て該当ゲームが中断される場合、使用者らの不満が少なくない。
【０００５】
さらにリアルタイム動画を視聴した人々は、そのリアルタイム動画をずっと視聴しながらも相手先と通話することができることを希望する場合が少なくないにも、このような使用者のニーズを満たす手段が提示されることができない実情である。
【先行技術文献】
【特許文献】
【０００６】
【特許文献１】韓国登録特許第１０−０６７８０５７（2007年1月26日登録）
【発明の概要】
【発明が解決しようとする課題】
【０００７】
本発明は、前記した従来の問題点を解決するために案出されたものであり、その目的は、所定のアプリケーションが実行されている状態で電話がかかって来る場合、その実行されていたアプリケーションの動作を邪魔しないながらも使用者が相手先と通話することができるようにするための装置、方法及び記録媒体を提供するものである。
【課題を解決するための手段】
【０００８】
上記の課題を解決するために、本発明の一態様に係る通信端末機の制御方法は、(ａ)通話受信イベントを感知する段階と、(ｂ)最上位レイヤーアプリケーションで設定された第１アプリケーションの動作が維持されるようにしながら前記第１アプリケーションの表示領域のうちで一部領域と前記第１アプリケーションの表示領域とは区別される別個の領域のうちで少なくともいずれか一つの領域に通話受信お知らせメッセージを表示する段階と、(ｃ)使用者の通話受信選択を感知する場合前記第１アプリケーションの動作が維持されるようにしながらバックグラウンドで通話処理を遂行する段階と、を含み、前記(ｂ)段階の通話受信お知らせメッセージには‘見ながら通話'メニューと‘通話'メニューが共に含まれて、前記(ｃ)段階では、使用者の前記‘見ながら通話'メニュー選択時には前記第１アプリケーションの動作が維持されるようにしながらバックグラウンドで通話処理を遂行して、使用者の前記‘通話'メニュー選択時には通話処理アプリケーションを最上位レイヤーアプリケーションで設定して画面転換を制御して該当通話処理アプリケーションによって通話処理がなされるように制御する。
【０００９】
また、本発明の一態様に係る通信端末機の制御方法は、(ａ)通話受信イベントを感知する段階と、(ｂ)最上位レイヤーアプリケーションで設定された第１アプリケーションの動作が維持されるようにしながら前記第１アプリケーションの表示領域のうちで一部領域と前記第１アプリケーションの表示領域とは区別される別個の領域のうちで少なくともいずれか一つの領域に通話受信お知らせメッセージを表示する段階と、(ｃ)使用者の通話受信選択を感知する場合前記第１アプリケーションの動作が維持されるようにしながらバックグラウンドで通話処理を遂行する段階と、を含み、前記(ｃ)段階では、使用者の通話受信選択を感知する場合、既に具備された近接センサー部の機能を非活性化させて、前記第１アプリケーションの動作が維持されるようにしながらバックグラウンドで通話処理がなされるように制御し、前記(ｃ)段階では、既に具備された複数個の通話モードのうちで第１通話モードの選択を感知する場合には、前記近接センサー部の機能を活性化させて、前記複数個の通話モードのうちで第２通話モードの選択を感知する場合には前記近接センサー部の機能を非活性化させ、前記(ｃ)段階では、前記第１通話モードの選択を感知する場合前記第１通話モードに対応されるＯＥＭ通話アプリケーションを最上位レイヤーアプリケーションで設定して画面転換を制御して、該当ＯＥＭ通話アプリケーションによって通話処理がなされるように制御して、前記第２通話モードの選択を感知する場合前記第１アプリケーションの動作が維持されるようにしながらバックグラウンドで通話処理がなされるように制御する。
【００１０】
また、本発明の一態様に係る通信端末機の制御方法は、(ａ)通話受信イベントを感知する段階と、(ｂ)最上位レイヤーアプリケーションで設定された第１アプリケーションの動作が維持されるようにしながら前記第１アプリケーションの表示領域のうちで一部領域と前記第１アプリケーションの表示領域とは区別される別個の領域のうちで少なくともいずれか一つの領域に通話受信お知らせメッセージを表示する段階と、(ｃ)使用者の通話受信選択を感知する場合前記第１アプリケーションの動作が維持されるようにしながらバックグラウンドで通話処理を遂行する段階と(ｄ)前記第１アプリケーションの再生ボリューム調整のための第１タッチボリュームインターフェースがディスプレイされるように制御する段階とを含み、前記(ｄ)段階は、前記(ｃ)段階の通話処理と関連されたボリューム調整のための第２タッチボリュームインターフェースがディスプレイされるように制御する段階をさらに含み、前記第１タッチボリュームインターフェースと前記第２タッチボリュームインターフェースが既設定された値の透明度を有するように処理して、前記第１タッチボリュームインターフェース及び前記第２タッチボリュームインターフェースと重畳される前記第１アプリケーションの表示領域の映像が映るようにし、使用者の前記第１タッチボリュームインターフェースと前記第２タッチボリュームインターフェースのうちで少なくともいずれか一つに対するタッチ入力と既設定された時間経過のうちで少なくともいずれか一つが感知されれば、前記第１タッチボリュームインターフェースと前記第２タッチボリュームインターフェースの透明度を既設定された値に増加させる段階をさらに含む。
【００１１】
また、本発明の一態様に係る通信端末機は、使用者入力部と、通話受信イベントを感知するイベント感知部と、前記イベント感知部が通話受信イベントを感知した場合、最上位レイヤーアプリケーションで設定された第１アプリケーションの動作が維持されるようにしながら前記第１アプリケーションの表示領域のうちで一部領域と前記第１アプリケーションの表示領域とは区別される別個の領域のうちで少なくともいずれか一つの領域に通話受信お知らせメッセージが表示されるように制御するお知らせ部と、使用者の前記使用者入力部を通じた通話受信選択を感知する場合、前記第１アプリケーションの動作が維持されるようにしながらバックグラウンドで通話処理を遂行する通話処理部と、を含み、前記通話受信お知らせメッセージには‘見ながら通話'メニューと‘通話'メニューが共に含まれて、前記通話処理部は、使用者の前記‘見ながら通話'メニュー選択時には前記第１アプリケーションの動作が維持されるようにしながらバックグラウンドで通話処理を遂行して、使用者の前記‘通話'メニュー選択時には通話処理アプリケーションを最上位レイヤーアプリケーションで設定して画面転換を制御して該当通話処理アプリケーションによって通話処理がなされるように制御する。
【００１２】
また、本発明の一態様に係る通信端末機は、使用者入力部と、通話受信イベントを感知するイベント感知部と、前記イベント感知部が通話受信イベントを感知した場合、最上位レイヤーアプリケーションで設定された第１アプリケーションの動作が維持されるようにしながら前記第１アプリケーションの表示領域のうちで一部領域と前記第１アプリケーションの表示領域とは区別される別個の領域のうちで少なくともいずれか一つの領域に通話受信お知らせメッセージが表示されるように制御するお知らせ部と、使用者の前記使用者入力部を通じた通話受信選択を感知する場合、前記第１アプリケーションの動作が維持されるようにしながらバックグラウンドで通話処理を遂行する通話処理部と、外部被写体の近接状態を感知する近接センサー部と、前記使用者入力部を通じた通話受信選択を感知する場合、既に具備された近接センサー部の機能を非活性化させるセンサー制御部とを含み、前記センサー制御部は、既に具備された複数個の通話モードのうちで第１通話モードの選択を感知する場合には、前記近接センサー部の機能を活性化させて、前記複数個の通話モードのうちで第２通話モードの選択を感知する場合には、前記近接センサー部の機能を非活性化させ、前記通話処理部は、前記使用者入力部を通じた第１通話モードの選択を感知する場合、前記第１通話モードに対応されるＯＥＭ通話アプリケーションを最上位レイヤーアプリケーションで設定して画面転換を制御して、該当ＯＥＭ通話アプリケーションによって通話処理がなされるように制御して、前記使用者入力部を通じた第２通話モードの選択を感知する場合、前記第１アプリケーションの動作が維持されるようにしながらバックグラウンドで通話処理がなされるように制御する。
【００１３】
また、本発明の一態様に係る通信端末機は、使用者入力部と、通話受信イベントを感知するイベント感知部と、前記イベント感知部が通話受信イベントを感知した場合、最上位レイヤーアプリケーションで設定された第１アプリケーションの動作が維持されるようにしながら前記第１アプリケーションの表示領域のうちで一部領域と前記第１アプリケーションの表示領域とは区別される別個の領域のうちで少なくともいずれか一つの領域に通話受信お知らせメッセージが表示されるように制御するお知らせ部と、
使用者の前記使用者入力部を通じた通話受信選択を感知する場合、前記第１アプリケーションの動作が維持されるようにしながらバックグラウンドで通話処理を遂行する通話処理部と、を含み、前記第１アプリケーションの再生ボリューム調整のための第１タッチボリュームインターフェースがディスプレイ部に表示されるように制御するボリューム調整部を含み、前記ボリューム調整部は、前記通話処理部による通話処理と関連されたボリューム調整のための第２タッチボリュームインターフェースがディスプレイされるように制御し、前記ボリューム調整部は、第１タッチボリュームインターフェースと前記第２タッチボリュームインターフェースが既設定された値の透明度を有するように処理して、前記第１タッチボリュームインターフェース及び前記第２タッチボリュームインターフェースと重畳される前記第１アプリケーションの表示領域の映像が映るようにし、使用者の前記第１タッチボリュームインターフェースと前記第２タッチボリュームインターフェースのうちで少なくともいずれか一つに対するタッチ入力と既設定された時間経過のうちで少なくともいずれか一つが感知されれば、前記ボリューム調整部は前記第１タッチボリュームインターフェースと前記第２タッチボリュームインターフェースの透明度を既設定された値に増加させる。
【発明の効果】
【００１４】
以上説明したところのように本発明によれば、使用者は特定アプリケーションが実行(例えば、動画再生、ゲーム実行)されている状態で電話がかかって来た場合、その特定アプリケーションの実行状態を維持しながらも電話の受信状態が分かって、さらにひいては、その特定アプリケーションの実行状態を維持しながらも相手先と通話することができる。
【図面の簡単な説明】
【００１５】
【図１】本発明の第１実施例による参照図面である。
【図２】本発明の第１実施例による参照図面である。
【図３】本発明の第１実施例による参照図面である。
【図４】本発明の第２実施例による参照図面である。
【図５】本発明の第２実施例による参照図面である。
【図６】本発明の第２実施例による参照図面である。
【図７】本発明の第３実施例による参照図面である。
【図８】本発明の第３実施例による参照図面である。
【図９】本発明の第３実施例による参照図面である。
【図１０】本発明の第３実施例による参照図面である。
【図１１】本発明の第３実施例による参照図面である。
【図１２】本発明の第４実施例による参照図面である。
【図１３】本発明の第４実施例による参照図面である。
【図１４】本発明の第４実施例による参照図面である。
【図１５】本発明の第４実施例による参照図面である。
【図１６】本発明の第５実施例による参照図面である。
【図１７】本発明の第５実施例による参照図面である。
【図１８】本発明の第５実施例による参照図面である。
【図１９】本発明の第５実施例による参照図面である。
【図２０】本発明の第５実施例による参照図面である。
【図２１】本発明の第５実施例による参照図面である。
【図２２】本発明の第６実施例による参照図面である。
【図２３】本発明の第６実施例による参照図面である。
【図２４】本発明の第６実施例による参照図面である。
【図２５】本発明の第６実施例による参照図面である。
【図２６】本発明の第７実施例による参照図面である。
【図２７】本発明の第７実施例による参照図面である。
【発明を実施するための形態】
【００１６】
以下では添付図面を参照して本発明に対して詳しく説明する。
【００１７】
まず、本発明の第１実施例を図１乃至図３を参照して説明すれば次のようである。
本発明の第１−１実施例による通信端末機１１００機能ブロックの一例は、図１に示されたところのようである。
【００１８】
同図面に示されたところのように、通信端末機１１００は、ディスプレイ部１１１０、使用者入力部１１２０、イベント感知部１１３０、お知らせ部１１４０、通話処理部１１５０を含んで構成されることができる。
【００１９】
ディスプレイ部１１１０は、通信端末機１１００の動作による動画が表示されるか、または所定のお知らせメッセージまたはメニューが表示されるものであり、例えば、電力消耗が少ないＬＣＤ(Liquid Crystal Display)を含んで構成されることができる。
使用者入力部１１２０は、使用者の操作入力を受けるものであり、例えば、少なくとも一つの押しボタンが含まれたキーパッドを含んで構成されることができるし、または使用者のタッチ入力を感知するタッチパッドを含んで構成されることもできる。
【００２０】
特に、使用者入力部１１２０がタッチパッドを含んで構成される場合、使用者入力部１１２０と前で説明したディスプレイ部１１１０は、一つのタッチスクリーンを構成することもできる。
【００２１】
イベント感知部１１３０は、通話受信イベントを感知する機能を遂行する。
【００２２】
例えば、相手先端末機から電話がかかって来る場合、イベント感知部１１３０はその着信号の受信によるイベント、すなわち、通話受信イベントを感知するものである。通話受信イベントは受信される通話信号そのものであることもできて、通信端末機１１００のシステムプログラムで、または通信端末機１１００に具備された通話関連アプリケーション(一例でＯＥＭ通話モジュール)によって発生されたものであることもある。
【００２３】
お知らせ部１１４０は、イベント感知部１１３０が通話受信イベントを感知した場合、最上位レイヤーアプリケーションで設定された第１アプリケーションの動作が維持されるようにしながら、その第１アプリケーションの表示領域のうちで一部領域に通話受信お知らせメッセージが表示されるように制御する機能を遂行する。
【００２４】
ここで第１アプリケーションが最上位レイヤーアプリケーションで設定されたということは、その第１アプリケーションがディスプレイ部１１１０の全体画面を占めるように設定されたということを意味することもあり、または各アプリケーションの動作による表示画面が重畳されて表示されている場合、第１アプリケーションが一番上端のレイヤーに位置して他のアプリケーションの表示画面に全然邪魔されないで、その第１アプリケーションの動作による表示画面を使用者が優先して見られるように設定されたことを意味することもある。
【００２５】
さらにひいては、第１アプリケーションが最上位レイヤーアプリケーションで設定されたということは、使用者のタッチドラッグ入力を第１アプリケーションの使用者入力で見做すということを意味することもある。
【００２６】
レイヤーは、表示画面の重畳時にその優先順位を決めるための論理的区別に該当する。
通話受信お知らせメッセージは、相手先端末機から通話着信が発生したことを知らせる情報に該当することもあり、さらにひいては使用者が選択するための所定のメニューを含んでいることもある。
【００２７】
例えば、通話受信お知らせメッセージには、‘見ながら通話'メニュー‘通話'メニュー、‘拒絶メッセージ'メニュー、‘エンド'メニューが含まれることもある。このような各メニューの選択によって遂行される機能に対しては後述するようにする。
【００２８】
通話処理部１１５０は、使用者の使用者入力部１１２０を通じた通話受信選択を感知する場合、第１アプリケーションの動作が維持されるようにしながらバックグラウンドで通話処理を遂行する機能を遂行する。すなわち、通話処理部１１５０が通話処理をバックグラウンドで遂行することは、第１アプリケーションの動作に影響を及ぼさないためである。
【００２９】
ここでバックグラウンドで通話処理を遂行するということは、最上位レイヤーアプリケーションで設定された第１アプリケーションに対する使用者インターフェースは勿論であり、第１アプリケーションによる実行画面がずっとディスプレイ部１１１０に表示されるようにした状態で相手先との通話がなされるように処理することを意味する。
【００３０】
例えば、第１アプリケーションが動画再生アプリケーションである場合、使用者は動画をずっと視聴しながら相手先と電話通話ができるものである。
【００３１】
この時通話処理部１１５０は、第１アプリケーションの実行によるサウンドに対して黙音処理するか、または該当サウンドの大きさが既設定された大きさで自動調節されるように制御することもできる。例えば、通話処理部１１５０は相手先との通話処理がバックグラウンドで実行されている状態では第１アプリケーションの実行によるサウンドの大きさが既設定された大きさで低められるように通信端末機１１００のシステムプログラムに要請することができる。
【００３２】
システムプログラムが特定アプリケーションの動作によるサウンドの大きさ、すなわち、ボリュームを調節することは既に公知された技術に過ぎないので、より詳細な説明を略する。
【００３３】
このために通話処理部１１５０は、第１アプリケーションのボリューム調節用ボタンと通話処理と関連されたボリューム調節用ボタンが同時にディスプレイ部１１１０に表示されるように制御することができる。この場合、使用者が通話処理と関連されたボリューム調節用ボタンを選択する場合には、通話処理部１１５０は通話中である相手先の声を調節することができるし、使用者が第１アプリケーションのボリューム調節用ボタンを選択する場合には通話処理部１１５０は、第１アプリケーションの実行によって発生されるサウンドの大きさを調節することができるものである。
【００３４】
使用者選択による具体的な実施例を説明すれば、通話処理部１１５０は使用者の‘見ながら通話'メニュー選択時には第１アプリケーションの動作が維持されるようにしながらバックグラウンドで通話処理を遂行する。
【００３５】
これに反して使用者の前記‘通話'メニュー選択時には通話処理部１１５０は、通話処理アプリケーションを最上位レイヤーアプリケーションで設定して画面転換を制御して、該当通話処理アプリケーションによって通話処理がなされるように制御する。
【００３６】
ここで通話処理アプリケーションは、通話処理部１１５０に含まれた一つのモジュールに該当することもできて、通信端末機１１００に具備されたＯＥＭ通話モジュールのような別途の通話モジュールに該当することもある。
【００３７】
通話処理アプリケーションを最上位レイヤーアプリケーションで設定して画面転換を制御するということは、通話処理アプリケーションの実行による表示画面と第１アプリケーションの実行による表示画面が重畳される部分は、通話処理アプリケーションの実行による表示画面が優先して表示されるようにすることを意味することもある。一例として、通話処理アプリケーションの実行による表示画面が既存の第１アプリケーションの実行による表示画面を完全に覆うこともできるものである。
【００３８】
また、使用者の‘拒絶メッセージ'メニュー選択時には、通話処理部１１５０は相手先に拒絶メッセージを文字メッセージなどを利用して送ることができるし、もし使用者が‘エンド'メニューを選択する場合には通話処理部１１５０は相手先からかかって来た電話を強制的に切ることもできる。
【００３９】
以下では、図２を参照して本発明の第１−１実施例による通信端末機１１００の制御流れを説明する。
【００４０】
先ず、第１アプリケーションを最上位レイヤーアプリケーションで設定して実行する(段階Ｓ１０１)。
【００４１】
ここで、最上位レイヤーアプリケーションを設定するということは、単純に一番最後にフォアグラウンドで実行されるアプリケーションをディスプレイ部１１１０の最上位レイヤーに表示されるように制御することを意味することもある。
【００４２】
本実施例では最上位レイヤーアプリケーションで設定された第１アプリケーションは、ＴＶ(Television)視聴アプリケーションであることを一例とする。
【００４３】
この状態で使用者は、自分の通信端末機１１００を利用してＴＶ番組をリアルタイムで視聴することができる。
【００４４】
通話受信イベントを感知する場合(段階Ｓ１０３)通信端末機１１００は、ＴＶ視聴アプリケーションの実行が維持されるようにしながらＴＶ放送画面が表示される領域のうちで一領域に通話受信お知らせメッセージを表示する(段階Ｓ１０５)。
【００４５】
この時、通話受信お知らせメッセージには、使用者が選択することができるメニューらが含まれることができるが、例えば、‘通話'メニュー、‘見ながら通話'メニュー、‘拒絶メッセージ'メニューが通話受信お知らせメッセージに含まれることができる。
【００４６】
電話が来たというメッセージと共に使用者が選択可能なメニューらが表示された状態が図３(ａ)に示された。
【００４７】
図３(ａ)を説明すると、ＴＶ放送が表示されている状態で該当ＴＶ放送画面の上端に‘０１０−８０８０−１２３４'番号を有する相手先から電話がかかって来たことが分かって、この時通信端末機１１００は、図３(ａ)に示されたところのように該当電話番号が住所録に既登録されている場合、該当住所録から相手先の名前を抽出して、電話番号と共に表示することもできる。図３(ａ)には一例として相手先の名前が‘洪吉童'で表示されている。
【００４８】
このように通話と関連されたメニューが表示された状態で使用者は自分が願うメニューを選択することができるが、例えば、使用者が‘通話'メニューを選択した場合には(段階Ｓ１０７)通信端末機１１００は、既設置された基本通話アプリケーションに該当するＯＥＭ通話アプリケーションを実行させる(段階Ｓ１０９)。
【００４９】
この時、通信端末機１１００にはＯＥＭ通話アプリケーションの実行によるインターフェース画面が表示されて、そのＯＥＭ通話アプリケーションの機能によって相手先との通話がなされることができる。
【００５０】
この場合通信端末機１１００は、ＴＶ視聴アプリケーションの実行を一時停止させるか、または終了させることができる。
【００５１】
ＯＥＭ通話アプリケーションが実行された例が図３(ｂ)に示された。同図面に示されたところのように既存に視聴していたＴＶ番組の代りに相手先との通話時に必要なメニューらを含む使用者インターフェースがディスプレイ部１１１０全体に表示されていることが分かる。すなわち、この場合はＯＥＭ通話アプリケーションが最上位レイヤーアプリケーションになるものである。
【００５２】
一方、使用者が‘見ながら通話'メニューを選択した場合には(段階Ｓ１０７)通信端末機１１００は、通話処理機能をバックグラウンドで実行させることで(段階Ｓ１１１)相手先と通話がなされるようにしながらもＴＶ視聴アプリケーションの動作には影響を及ぼさないようにする。
【００５３】
すなわち、使用者は相手先と通話をしながらも既存に視聴したＴＶ番組を続いて視聴することができるものである。
【００５４】
この時、通信端末機１１００は、使用者の手動操作がなくてもＴＶ視聴アプリケーションによって発生されるサウンドの大きさを通話中には黙音処理するか、または既設定された以下の大きさになるように調節することもできる。
【００５５】
通話処理機能がバックグラウンドで動作する一例が図３(ｃ)に示された。同図面に示されたところのように既存に視聴していたＴＶ番組は続いてディスプレイ部１１１０に表示されているし、単に相手先との通話時に必要なメニューらを含む使用者インターフェースがＴＶ番組画面の上端一部に表示されていることが分かる。すなわち、この場合は相変らずＴＶ視聴アプリケーションが最上位レイヤーアプリケーションになるものである。
【００５６】
次に、使用者が‘拒絶メッセージ'メニューを選択する場合(段階Ｓ１０７)、通信端末機１１００は受信拒否メッセージを生成して、電話をかけた相手先端末機に送る(段階Ｓ１１３)。受信拒否メッセージは短文メッセージサービスセンター(ＳＭＳＣ)のような一種の文字メッセージサーバーを経由して伝送されるメッセージであることもあるし、または所定のプッシュサーバーを経由して相手先端末機に伝送されるメッセージであることもある。
【００５７】
以下では、本発明の第１−２実施例による通信端末機１１００’に対して説明する。
本発明の他の実施例による通信端末機１１００’の機能ブロックは、図１に示されたところのようであるが、一部構成要素の機能において差がある。
【００５８】
すなわち、使用者入力部１１２０'、イベント感知部１１３０'、通話処理部１１５０'などの機能は前で説明したところとの差がなくて、単にお知らせ部１１４０'はイベント感知部１１３０'が通話受信イベントを感知した場合、最上位レイヤーアプリケーションで設定された第１アプリケーションの動作が維持されるようにしながら第１アプリケーションの表示領域とは区別される別個の領域に通話受信お知らせメッセージが表示されるように制御する機能を遂行するという点で前で説明したところと差がある。
【００５９】
すなわち、前で説明した実施例は、最上位レイヤーアプリケーションで設定された第１アプリケーションの動作によるイメージまたは映像がディスプレイ部１１１０画面全体を満たしている状態である時に主に適用可能なものであり、本実施例は最上位レイヤーアプリケーションで設定された第１アプリケーションの動作によるイメージまたは映像がディスプレイ部１１１０’画面一部分を満たしている状態である時主に適用可能なものである。
【００６０】
すなわち、第１アプリケーションが最上位レイヤーアプリケーションで設定されたので、他のアプリケーションの動作による画面と重畳される時は、第１アプリケーションが優先して表示されるという点は差がないが、第１アプリケーションの動作による画面がディスプレイ部１１１０’全体を占有するものではないという点で差があるものである。
【００６１】
この時、お知らせ部１１４０'は、第１アプリケーションが表示していない一部領域(例えば、ディスプレイ部１１１０’の上端領域)に通話受信お知らせメッセージが表示されるように制御することができるものである。残りの各構成要素らの機能及び特徴は、前述した実施例で説明したところと差がないので、重複説明は略する。
【００６２】
これによって使用者は、特定アプリケーションが実行(例えば、動画再生、ゲーム実行)されている状態で電話がかかって来た場合、その特定アプリケーションの実行状態を維持しながらも電話受信状態が分かって、さらにひいては、その特定アプリケーションの実行状態を維持しながらも相手先と通話することができる。
【００６３】
まず、本実施例を説明するにおいて、通信端末機にはＯＥＭ通話アプリケーションが具備されている状態であり、このようなＯＥＭ通話アプリケーション以外に別途の通話アプリケーション、または通話アップのダウンロードを受けて記憶されている状態であると仮定する。
【００６４】
ここで、ＯＥＭ通話アプリケーションは、通信端末機の発売開始時に基本的に具備された通話関連アプリケーションを意味して、別途の通話アプリケーションまたは通話アップ(以下では、ＯＥＭ通話アプリケーションと区別するために‘通話アップ'と称する)は、このようなＯＥＭ通話アプリケーションとは区別されて、使用者の選択によってアップストアまたはアプリケーション提供サーバーなどからダウンロードを受けて設置されたアプリケーションであると仮定する。
【００６５】
後述する通信端末機の機能ブロックまたは通信端末機の制御過程のうちで少なくとも一部は、このような通話アップで処理することができる。
【００６６】
本発明の第２−１実施例による通信端末機２１００機能ブロックの一例は、図４に示されたところのようである。同図面に示されたところのように通信端末機２１００は、使用者入力部２１１０、近接センサー部２１２０、イベント感知部２１３０、お知らせ部２１４０、センサー制御部２１５０、通話処理部２１６０、ディスプレイ部２１７０を含んで構成されることができる。
【００６７】
ディスプレイ部２１７０は、通信端末機２１００の動作による動画が表示されるか、または所定のお知らせメッセージまたはメニューが表示されるものであり、例えば、電力消耗が少ないＬＣＤ(Liquid Crystal Display)を含んで構成されることができる。
【００６８】
使用者入力部２１１０は使用者の操作入力を受けるものであり、例えば、少なくとも一つの押しボタンが含まれたキーパッドを含んで構成されることができるし、または使用者のタッチ入力を感知するタッチパネルを含んで構成されることもできる。
【００６９】
特に、使用者入力部２１１０がタッチパネルを含んで構成される場合、使用者入力部２１１０と前で説明したディスプレイ部２１７０とは、一つのタッチスクリーンを構成することもできる。
【００７０】
イベント感知部２１３０は、通話受信イベントを感知する機能を遂行する。
【００７１】
例えば、相手先端末機から電話がかかって来る場合、イベント感知部２１３０はその着信号の受信によるイベント、すなわち、通話受信イベントを感知するものである。通話受信イベントは受信される通話信号そのものであることもあり、通信端末機２１００のシステムプログラムで、または通信端末機２１００に具備された通話関連アプリケーション(一例で、ＯＥＭ通話モジュール)によって発生されたものであることもある。
【００７２】
お知らせ部２１４０は、イベント感知部２１３０が映像通話受信イベントを感知した場合、映像通話受信イベント発生前に最上位レイヤーで表示された第１アプリケーションの動作が維持されるようにしながら映像通話受信お知らせメッセージが画面の一領域−第１アプリケーションの表示領域のうちで一部領域または、前記第１アプリケーションの表示領域とは区別される別個の領域−に表示されるように制御する機能を遂行する。
【００７３】
本実施例で第１アプリケーションの動作が維持されるということは、第１アプリケーションによる画面処理がずっと遂行されるというものである。すなわち、第１アプリケーションが動画再生アプリケーションである場合、動画がずっとプレイされて画面に見えることを意味する。
【００７４】
お知らせ部２１４０は、例えば、第１アプリケーションの表示領域のうちで一部領域に映像通話受信お知らせメッセージが表示されるように制御することができる。
【００７５】
ここで、第１アプリケーションが映像通話受信イベント発生前に最上位レイヤーに表示されたということは、第１アプリケーションが映像通話受信イベント発生前に最上位レイヤーアプリケーションで設定されたことを意味する。
【００７６】
第１アプリケーションが最上位レイヤーアプリケーションで設定されたということは、その第１アプリケーションがディスプレイ部２１７０の全体画面を占めるように設定されたということを意味することもあり、または各アプリケーションの動作による表示画面が重畳されて表示されている場合、第１アプリケーションが一番上端のレイヤーに位置して他のアプリケーションの表示画面に全然邪魔されないで、その第１アプリケーションの動作による表示画面を使用者が優先して見られるように設定されたことを意味することもある。
【００７７】
さらにひいては、第１アプリケーションが最上位レイヤーアプリケーションで設定されたということは、使用者のタッチドラッグ入力を第１アプリケーションの使用者入力として見做すということを意味することもある。
【００７８】
ここで、レイヤーは表示画面の重畳時にその優先順位を決めるための論理的区別に該当する。
【００７９】
通話受信お知らせメッセージは、相手先端末機から通話着信が発生したことを知らせる情報に該当することもあり、さらにひいては使用者が選択するための所定のメニューを含んでいることもある。
【００８０】
すなわち、お知らせ部２１４０は、使用者の選択によって複数個の通話モードに対する選択メニューが表示されるように制御することができるが、例えば、お知らせ部２１４０は‘見ながら通話'メニューと‘通話'メニューがディスプレイ部２１７０に表示されるようにできるものである。このような各メニューの選択によって遂行される機能に対しては後述するようにする。
【００８１】
通話処理部２１６０は、使用者入力部２１１０を通じた通話受信選択を感知する場合、第１アプリケーションの動作が維持されるようにしながらバックグラウンドで通話処理がなされるように制御する。
【００８２】
例えば、通話処理部２１６０は、別に通話処理機能を具備している場合には該当通話処理機能をバックグラウンドで遂行することもできて、他の例として既に具備されたＯＥＭ通話アプリケーションがバックグラウンドで動作するように制御することもできる。
特に、通話処理部２１６０は、複数個の通話モードのうちで第１通話モードの選択を感知する場合第１通話モードに対応される通話ＯＥＭアプリケーションを最上位レイヤーアプリケーションで設定して画面転換を制御して、該当ＯＥＭ通話アプリケーションによって通話処理がなされるように制御して、使用者入力部２１１０を通じた第２通話モードの選択を感知する場合第１アプリケーションの動作が維持されるようにしながらバックグラウンドで通話処理がなされるように制御する。この時、通話処理部２１６０はバックグラウンド通話処理を直接遂行することもできる。
【００８３】
すなわち、通話処理部２１６０が通話処理をバックグラウンドで遂行することは、第１アプリケーションの動作に影響を及ぼさないためである。ここでバックグラウンドで通話処理を遂行するということは、第１アプリケーションの動作が維持されて、その第１アプリケーションによる実行画面がずっとディスプレイ部２１７０に表示されるようにした状態で相手先との通話がなされるように処理することを意味する。単に通話処理と関連された所定のメニューが画面の一領域に表示されることはある。
【００８４】
したがって、第１アプリケーションが動画再生アプリケーションである場合、使用者は動画をずっと視聴しながら相手先と電話通話ができるものである。
【００８５】
この時、通話処理部２１６０は、第１アプリケーションの実行によるサウンドに対して黙音処理するか、または該当サウンドの大きさが既設定された大きさで自動調節されるように制御することもできる。例えば、通話処理部２１６０は、相手先との通話処理がバックグラウンドで実行されている状態では、第１アプリケーションの実行によるサウンドの大きさが既設定された大きさで低められるように通信端末機２１００のシステムプログラムに要請することができる。
【００８６】
システムプログラムが特定アプリケーションの動作によるメディアサウンド(通話サウンドとは区別される)の大きさ、すなわち、ボリュームを調節することは既に公知された技術に過ぎないので、より詳細な説明を略する。
【００８７】
このために通話処理部２１６０は、第１アプリケーションのボリューム調節用ボタンと通話処理と関連されたボリューム調節用ボタンが同時にディスプレイ部２１７０に表示されるように制御することができる。この場合、使用者が通話処理と関連されたボリューム調節用ボタンを選択する場合には、通話処理部２１６０は通話中である相手先の声を調節することができるし、使用者が第１アプリケーションのボリューム調節用ボタンを選択する場合には通話処理部２１６０は第１アプリケーションの実行によって発生されるサウンドの大きさを調節することができるものである。
【００８８】
使用者選択による具体的実施例を説明すれば、通話処理部２１６０は使用者の‘見ながら通話'メニュー選択時には第１アプリケーションの動作が維持されるようにしながらバックグラウンドで通話処理がなされるように制御する。
【００８９】
これに反して、使用者の前記‘通話'メニュー選択時には通話処理部２１６０は、ＯＥＭ通話アプリケーションを最上位レイヤーアプリケーションで設定して画面転換を制御して、該当ＯＥＭ通話アプリケーションによって通話処理がなされるように制御する。
ＯＥＭ通話アプリケーションを最上位レイヤーアプリケーションで設定して画面転換を制御するということは、第１アプリケーションの再生を中断させて、ＯＥＭ通話アプリケーションの実行による表示画面と第１アプリケーションの実行による表示画面が重畳される部分は、ＯＥＭ通話アプリケーションの実行による表示画面が優先して表示されるようにすることを意味することもある。一例として、ＯＥＭ通話アプリケーションの実行による表示画面が既存の第１アプリケーションの実行による表示画面を完全に覆うこともできるものである。
【００９０】
近接センサー部２１２０は、外部被写体の近接状態を感知する機能を遂行する。近接センサー部２１２０は外部被写体の近接を感知する近接センサーモジュール(図示せず)と、該当センサーの感知信号によって特定機能を遂行する機能遂行部(図示せず)を含んで構成されることができる。
【００９１】
ここで、近接センサーモジュールは、静電容量型、コイル誘導型、高周波発振型など既に公知された形態のものを利用することができる。
【００９２】
機能遂行部は、近接センサーモジュールで感知される信号によって特定機能、例えば、ディスプレイ部２１７０の電源をＯＦＦさせるか、または節電モードに転換させるなどディスプレイ部２１７０を非活性させることもできて、または、タッチパネル上のタッチ入力感知機能を非活性化させることもできる。
【００９３】
センサー制御部２１５０は、使用者入力部２１１０を通じた複数個の通話モードのうちで第１通話モードの選択を感知する場合には、既に具備された近接センサー部２１２０の機能を活性化させて、複数個の通話モードのうちで第２通話モードの選択を感知する場合には、近接センサー部２１２０の機能を非活性化させる機能を遂行する。
【００９４】
すなわち、センサー制御部２１５０は、使用者が選択した通話モードによって近接センサー部２１２０の機能を異なるように制御するものである。
【００９５】
ここで、第１通話モードは、使用者が前で例に挙げた‘通話'メニューを選択する時動作するモードであることもあるし、第２通話モードは使用者が‘見ながら通話'メニューを選択する時に動作するモードであることもある。
【００９６】
第２通話モードの選択に対してより具体的に説明すれば、センサー制御部２１５０は複数個の通話モードのうちで第２通話モードの選択を感知する場合には、通話受信イベントの感知によって一時活性化された近接センサー部２１２０の機能を非活性で切り替えるか、または近接センサー部２１２０が活性化されなかったら、その非活性化状態をずっと維持させることができる。
【００９７】
例えば、使用者の第２通話モード選択によって図４に示されない通信端末機２１００の他の機能モジュールまたは、ＯＳ(Operating System)のようなシステムプログラムによって近接センサー部２１２０が一時的に活性化される場合、センサー制御部２１５０はその一時的に活性化された近接センサー部２１２０の機能を非活性に転換させて動作しないようにできるものである。
【００９８】
ここで、近接センサー部２１２０を非活性化させるということは、前で言及した近接センサーモジュールの機能を非活性化させるか、または機能遂行部の機能を非活性化させることを意味することもある。
【００９９】
以下では、図５を参照して本発明の第２−１実施例による通信端末機２１００の制御過程を説明する。
【０１００】
まず、通信端末機２１００が使用者の選択による任意の第１アプリケーションを最上位レイヤーアプリケーションで設定して行っていることを前提とする(段階Ｓ２０１)。
ここで、最上位レイヤーアプリケーションを設定するということは、単純に一番最後にフォアグラウンドで実行されるアプリケーションをディスプレイ部２１７０の最上位レイヤーに表示されるように制御することを意味することもある。最上位レイヤーアプリケーションで設定された第１アプリケーションは、所定のマルチメディアファイルを再生するアプリケーションであるか、またはゲームアプリケーションであることもあるが、本実施例では第１アプリケーションはＴＶ(Television)視聴アプリケーションであることを一例とする。 
【０１０１】
この状態で使用者は、自分の通信端末機２１００を利用してＴＶ番組をリアルタイムで視聴することができる。
【０１０２】
通話受信イベントを感知する場合(段階Ｓ３２０)通信端末機２１００は、ＴＶ視聴アプリケーションの実行が維持されるようにしながらＴＶ放送画面が表示される領域のうちで一領域に通話受信お知らせメッセージを表示する(段階Ｓ２０５)。
【０１０３】
以後、使用者は、受信方法を選択することができるが(段階Ｓ２０７)、通話受信お知らせメッセージに含まれるか、または別途の使用者選択によって表示される‘通話'メニューと‘見ながら通話'メニューのうちでいずれか一つを選択することで、受信方法を選択することができる。
【０１０４】
電話が来たというメッセージと共に使用者が選択可能なメニューらが表示された状態が図３(ａ)に示された。
【０１０５】
図３(ａ)を説明すると、ＴＶ放送が表示されている状態で該当ＴＶ放送画面の上端に‘０１０−８０８０−１２３４'番号を有する相手先から電話がかかって来たことが分かって、この時、通信端末機２１００は図３(ａ)に示されたところのように該当電話番号が住所録に既登録されている場合、該当住所録から相手先の名前を抽出して電話番号と共に表示することもできる。図３(ａ)には一例として、相手先の名前が‘洪吉童'で表示されている。
【０１０６】
このように通話と関連されたメニューが表示された状態で、使用者は自分が願うメニューを選択することができるが、例えば、使用者が‘通話'メニューを選択した場合には(段階Ｓ２０７)、通信端末機２１００は、既設置された基本電話アプリケーションに該当するＯＥＭ通話アプリケーションを実行させる(段階Ｓ２０９)。
【０１０７】
この時、通信端末機２１００にはＯＥＭ通話アプリケーションの実行によるインターフェース画面が表示されて、そのＯＥＭ通話アプリケーションの機能によって相手先との通話がなされることができる。
【０１０８】
この場合、通信端末機２１００は、ＴＶ視聴アプリケーションの実行を一時停止させるとか終了させることができる。
【０１０９】
ＯＥＭ通話アプリケーションの実行された例が図３(ｂ)に図示された。同図面に図示されたところのように既存に視聴したＴＶ番組の代りに相手先との通話の時必要なメニューらを含む使用者インターフェースがディスプレイ部２１７０全体に表示されていることが分かる。すなわち、この場合はＯＥＭ通話アプリケーションが最上位レイヤーアプリケーションになるのである。
【０１１０】
この時通信端末機２１００は、近接センサー部２１２０を自動で活性化(ＯＮ)させる(段階Ｓ２１１)。
【０１１１】
近接センサー部２１２０が活性化された状態で通信端末機２１００は外部被写体の近接が感知される場合電力消耗を減らすためにディスプレイ部２１７０の電源を遮断させて、タッチパネルのタッチ入力機能を非活性化させることができる。
【０１１２】
例えば、使用者が通信端末機２１００を耳に当てて通話をする場合近接センサー部２１２０の動作によってディスプレイ部２１７０の電源が遮られると共にタッチ入力機能が非活性化になる。
【０１１３】
一方、使用者が‘見ながら通話'メニューを選択した場合には(段階Ｓ２０７)、通信端末機２１００は通話処理機能をバックグラウンドで実行させることで(段階Ｓ２１３)相手先と通話がなされるようにしながらもＴＶ視聴アプリケーションの動作には影響を及ぼさないようにする。
【０１１４】
すなわち、使用者は相手先と通話をしながらも既存に視聴したＴＶ番組を続いて視聴することができるものである。
【０１１５】
この時、通信端末機２１００は使用者の手動操作がなくてもＴＶ視聴アプリケーションによって発生されるサウンド大きさを通話の中には黙音処理するか、または既設定された大きさ以下になるように調節することもできる。
【０１１６】
通話処理機能がバックグラウンドで動作する事例が図３(ｃ)に示された。同図面に示されたところのように既存に視聴したＴＶ番組は続いてディスプレイ部２１７０に表示されているし、単に相手先との通話の時必要なメニューらを含む使用者インターフェースがＴＶ番組画面の上端一部に表示されていることが分かる。
【０１１７】
この時、通信端末機２１００は、近接センサー部２１２０の機能を非活性化(ＯＦＦ)させる(段階Ｓ２１５)。例えば、通信端末機２１００は近接センサー部２１２０の機能が非活性化状態ならその非活性化状態を維持させれば良いし、現在近接センサー部２１２０の機能が活性化された状態なら非活性化状態で転換させることができる。
【０１１８】
図６は、このように近接センサー部２１２０の機能を非活性化状態で切り替える事例を示したものである。
【０１１９】
すなわち、使用者が'見ながら通話'メニューを選択した場合、すなわち、第２通話モードを選択した場合(段階Ｓ２２１)通信端末機２１００はＯＥＭ通話アプリケーションをバックグラウンドで行って通話がなされるようにする(段階Ｓ２２３)。すなわち、通信端末機２１００は第１アプリケーションがフォアグラウンドでずっと動作するようにすると同時に通話がなされるようにするものである。
【０１２０】
この時、ＯＥＭアプリケーションが動作しながら該当ＯＥＭアプリケーションによって近接センサー部２１２０がＯＮ状態になることができるが、通信端末機２１００はこのようにＯＮ状態になった近接センサー部２１２０をＯＦＦ状態に転換させることができる(段階Ｓ２２５)。
【０１２１】
これによって使用者が‘見ながら通話'を選択した場合には、近接センサー部の動作によって予期しなく画面が消えるか、またはタッチ入力による機能が遂行されない不便が消える。
【０１２２】
以下では、本発明の第２−２実施例による通信端末機２１００'に対して説明する。
本発明の第２−２実施例による通信端末機２１００'の機能ブロックは、図４に示されたところのようであるが、一部構成要素の機能において差がある。
【０１２３】
すなわち、使用者入力部２１１０’、イベント感知部２１３０'、通話処理部２１６０'、近接センサー部２１２０'、センサー制御部２１５０'などの機能は前で説明したところと差がなくて、単にお知らせ部２１４０'はイベント感知部２１３０'が通話受信イベントを感知した場合、最上位レイヤーアプリケーションで設定された第１アプリケーションの動作が維持されるようにしながら第１アプリケーションの表示領域とは区別される別個の領域に通話受信お知らせメッセージが表示されるように制御する機能を遂行するという点で前で説明したところと差がある。
【０１２４】
すなわち、前で説明した第２−１実施例は、最上位レイヤーアプリケーションで設定された第１アプリケーションの動作によるイメージまたは映像がディスプレイ部２１７０の画面全体を満たしている状態である時、主に適用可能なものであり、本実施例は最上位レイヤーアプリケーションで設定された第１アプリケーションの動作によるイメージまたは映像がディスプレイ部２１７０'画面の一部分を満たしている状態である時、主に適用可能なものである。
【０１２５】
すなわち、第１アプリケーションが最上位レイヤーアプリケーションで設定されたので、他のアプリケーションの動作による画面と重畳される時は第１アプリケーションが優先して表示されるという点は差がないが、第１アプリケーションの動作による画面がディスプレイ部２１７０'全体を占有するものではないという点で差があるものである。
【０１２６】
この時、お知らせ部２１４０'は、第１アプリケーションが表示していない一部領域(例えば、ディスプレイ部２１７０'の上端領域)に通話受信お知らせメッセージが表示されるように制御することができるものである。残りの各構成要素らの機能及び特徴は、前述した第２−１実施例で説明したところと差がないので、重複説明は略する。
【０１２７】
一方、本実施例を遂行する過程は、所定の記録媒体(例えば、コンピューターで判読可能な)に記憶されたプログラムによってなされることができることは勿論である。
【０１２８】
例えば、前述した実施例での通話処理機能を遂行することは、所定のサーバーからダウンロードを受けた通話処理アップによって遂行されることができる。この時、通信端末機には端末機の発売開始時設置されたＯＥＭ通話アプリケーションがある場合には、そのＯＥＭ通話アプリケーションとダウンロードを受けた通話処理アップが共存するようになる。
【０１２９】
すなわち、前述した実施例でＯＥＭ通話アプリケーションが実行された以後の過程を除いては所定のサーバーからダウンロードを受けた別途の通話処理アップによって遂行されることができるものである。
【０１３０】
これによって複数個の通話モードを具備した通信端末機で通話モードに符合されるそれぞれの機能が遂行されることができる。
【０１３１】
例えば、使用者が一名‘通話'メニューを選択した場合には、近接センサー部を活性化させることで、使用者が通信端末機を耳に当てて通話をする場合にはディスプレイ部の電源を遮断してタッチ動作がなされないようにして、使用者が一名‘見ながら通話'メニューを選択した場合には一般的な通話の場合と異なり近接センサー部を非活性化させることで現在遂行されているアプリケーションに対する入力(一例でタッチ入力)が近接センサー部によって邪魔されないようにすることができる。
【０１３２】
以下では、本発明の第３実施例を図７乃至図１１を参照して詳しく説明する。
まず、本発明の第３実施例による通信端末機３１００機能ブロックの一例は、図７に示されたところのようである。
【０１３３】
同図面に示されたところのように、通信端末機３１００はディスプレイ部３１１０、使用者入力部３１２０、イベント感知部３１３０、お知らせ部３１４０、通話処理部３１５０、ボリューム調整部３１６０を含んで構成されることができる。
【０１３４】
ディスプレイ部３１１０は、通信端末機３１００の動作による動画が表示されるか、または所定のお知らせメッセージまたはメニューが表示されるものであり、例えば、電力消耗が少ないＬＣＤ(Liquid Crystal Display)を含んで構成されることができる。
使用者入力部３１２０は、使用者の操作入力を受けるものとして、例えば、少なくとも一つの押しボタンが含まれたキーパッドを含んで構成されることができるし、または使用者のタッチ入力を感知するタッチパッドを含んで構成されることもできる。
【０１３５】
特に、使用者入力部３１２０がタッチパッドを含んで構成される場合、使用者入力部３１２０と前で説明したディスプレイ部３１１０は一つのタッチスクリーンを構成することもできる。
【０１３６】
イベント感知部３１３０は、通話受信イベントを感知する機能を遂行する。
例えば、相手先端末機から電話がかかって来る場合、イベント感知部３１３０はその着信号の受信によるイベント、すなわち、通話受信イベントを感知するものである。通話受信イベントは受信される通話信号そのものであることもできて、通信端末機３１００のシステムプログラムでまたは通信端末機３１００に具備された通話関連アプリケーション(一例でＯＥＭ通話モジュール)によって発生されたものであることができる。
【０１３７】
お知らせ部３１４０は、イベント感知部３１３０が通話受信イベントを感知した場合、通話受信イベント発生前に最上位レイヤーで表示された第１アプリケーションの動作が維持されるようにしながら通話受信お知らせメッセージが画面の一領域−第１アプリケーションの表示領域のうちで一部領域または前記第１アプリケーションの表示領域とは区別される別個の領域−に表示されるように制御する機能を遂行する。
【０１３８】
本実施例で第１アプリケーションの動作が維持されるということは、第１アプリケーションによる画面処理がずっと遂行されるというものである。すなわち、第１アプリケーションが動画再生アプリケーションである場合、動画がずっとプレイされて画面に見えることを意味する。
【０１３９】
お知らせ部３１４０は、例えば、第１アプリケーションの表示領域のうちで一部領域に通話受信お知らせメッセージが表示されるように制御することができる。
ここで、第１アプリケーションが通話受信イベント発生前に最上位レイヤーに表示されたということは、第１アプリケーションが通話受信イベント発生前に最上位レイヤーアプリケーションで設定されたことを意味する。
【０１４０】
第１アプリケーションが最上位レイヤーアプリケーションで設定されたということは、その第１アプリケーションがディスプレイ部３１１０の全体画面を占めるように設定されたということを意味することもあり、または各アプリケーションの動作による表示画面が重畳されて表示されている場合、第１アプリケーションが一番上端のレイヤーに位置して他のアプリケーションの表示画面に全然邪魔されないで、その第１アプリケーションの動作による表示画面を使用者が優先して見られるように設定されたことを意味することもある。
【０１４１】
さらにひいては、第１アプリケーションが最上位レイヤーアプリケーションで設定されたということは、使用者のタッチドラッグ入力を第１アプリケーションの使用者入力で見做すということを意味することもある。
【０１４２】
レイヤーは、表示画面の重畳時にその優先順位を決めるための論理的区別に該当する。
本実施例で第１アプリケーションは、期記憶されたマルチメディアファイルを再生するか、または外部から受信されるストリーミング放送などを再生させるマルチメディア再生プログラムであることを一例とする。
【０１４３】
通話受信お知らせメッセージは、相手先端末機から通話着信が発生したことを知らせる情報に該当することもあり、さらにひいては使用者が選択するための所定のメニューを含んでいることもある。
【０１４４】
例えば、通話受信お知らせメッセージには‘見ながら通話'メニュー‘通話'メニュー、‘拒絶メッセージ'メニュー、‘エンド'メニューが含まれることができる。このような各メニューの選択によって遂行される機能に対しては後述するようにする。
【０１４５】
通話処理部３１５０は、使用者の使用者入力部３１２０を通じた通話受信選択を感知する場合、第１アプリケーションの動作が維持されるようにしながらバックグラウンドで通話処理が遂行されるように制御する機能を遂行する。すなわち、通話処理部３１５０が通話処理をバックグラウンドで遂行することは、第１アプリケーションの動作に影響を及ぼさないためである。ここで、第１アプリケーションは、通話受信段階(例えば、使用者の通話受信選択感知)以前から実行中であったアプリケーションであることができる。
【０１４６】
通話処理部３１５０は、使用者の使用者入力部３１２０を通じた通話受信選択を感知する場合、第１アプリケーションの動作が維持されるようにしながらバックグラウンドで通話処理がなされるように制御する機能を遂行する。
【０１４７】
例えば、通話処理部３１５０は、別に通話処理機能を具備している場合には、該当通話処理機能をバックグラウンドで遂行することもできて、他の例として既に具備されたＯＥＭ通話アプリケーションがバックグラウンドで動作するように制御することもできる。
ここで、バックグラウンドで通話処理を遂行するということは、第１アプリケーションの動作が維持されて、その第１アプリケーションによる実行画面にずっとディスプレイ部３１１０に表示されるようにした状態で、相手先との通話がなされるように処理することを意味する。単に通話処理と関連された所定のメニューが画面の一領域に表示されることはできる。
【０１４８】
例えば、第１アプリケーションが動画再生アプリケーションである場合、使用者は動画をずっと視聴しながら相手先と電話通話ができるものである。
【０１４９】
この時、通話処理部３１５０は、第１アプリケーションの実行によるサウンドに対して黙音処理するか、または該当サウンドの大きさが既設定された大きさで自動調節されるように制御することもできる。例えば、通話処理部３１５０は相手先との通話処理がバックグラウンドで実行されている状態では第１アプリケーションの実行によるサウンドの大きさが既設定された大きさで低められるように通信端末機３１００のシステムプログラムに要請することができる。
【０１５０】
システムプログラムが特定アプリケーションの動作によるサウンドの大きさ、すなわち、ボリュームを調節することは既に公知された技術に過ぎないので、より詳細な説明を略する。
【０１５１】
使用者選択による具体的実施例を説明すれば、通話処理部３１５０は使用者の‘見ながら通話'メニュー選択時には第１アプリケーションの動作が維持されるようにしながらバックグラウンドで通話処理が遂行されるように制御する。
【０１５２】
これに反して使用者の前記‘通話'メニュー選択時には、通話処理部３１５０は通話処理アプリケーションを最上位レイヤーアプリケーションで設定して画面転換を制御して、該当通話処理アプリケーションによって通話処理がなされるように制御する。
【０１５３】
ここで、通話処理アプリケーションは、通話処理部３１５０に含まれた一つのモジュールに該当することもあり、通信端末機３１００に具備されたＯＥＭ通話モジュールのような別途の通話モジュールに該当することもある。
【０１５４】
通話処理アプリケーションを最上位レイヤーアプリケーションで設定して画面転換を制御するということは、通話処理アプリケーションの再生を中断させて通話処理アプリケーションの実行による表示画面と第１アプリケーションの実行による表示画面が重畳される部分は、通話処理アプリケーションの実行による表示画面が優先して表示されるようにすることを意味することもある。一例として、通話処理アプリケーションの実行による表示画面が既存の第１アプリケーションの実行による表示画面を完全に覆うこともできるものである。
【０１５５】
また、使用者の‘拒絶メッセージ'メニュー選択時には、通話処理部３１５０は相手先に拒絶メッセージを文字メッセージなどを利用して送ることができるし、仮に、使用者が‘エンド'メニューを選択する場合には通話処理部３１５０は相手先からかかって来た電話を強制に切ることもできる。
【０１５６】
ボリューム調整部３１６０は、第１アプリケーションの再生ボリューム調整のための第１タッチボリュームインターフェースと通話処理と関連された通話ボリューム調整のための第２タッチボリュームインターフェースがディスプレイ部３１１０に表示されるように制御する機能を遂行する。
【０１５７】
例えば、ボリューム調整部３１６０は、使用者がかかって来た電話に出る場合、すなわち、通話受信を選択する場合、自動で前述した第１タッチボリュームインターフェースと前記第２タッチボリュームインターフェースがディスプレイ部３１１０に表示されるようにすることもできて、または使用者の通話受信選択後にディスプレイ部３１１０に表示された所定のメニューの使用者選択によって第１タッチボリュームインターフェースと前記第２タッチボリュームインターフェースがディスプレイ部３１１０に表示されるようにすることもできる。
【０１５８】
ボリューム調整部３１６０は、第１タッチボリュームインターフェースまたは前記第２タッチボリュームインターフェースが既設定された値の透明度を有するように処理して、第１タッチボリュームインターフェース及び第２タッチボリュームインターフェースと重畳される第１アプリケーションの表示領域の映像が映るようにする。
【０１５９】
例えば、ボリューム調整部３１６０は第１タッチボリュームインターフェースまたは第２タッチボリュームインターフェースが５０％程度の透明度を有するようにして、該当タッチボリュームインターフェースと重畳される部分の第１アプリケーションの実行映像などが映るように、すなわち、該当タッチボリュームインターフェースによって完全に隠されないで透過して見えるようにすることができる。
【０１６０】
また、第１タッチボリュームインターフェースまたは第２タッチボリュームインターフェースに対するタッチ入力と既設定された時間経過のうちで少なくともいずれか一つが感知されれば、ボリューム調整部３１６０は第１タッチボリュームインターフェースまたは第２タッチボリュームインターフェースの透明度を既設定された値に増加させることができる。ここで、使用者のタッチ入力は、タッチタップ動作(特定位置をタッチしてからタッチを解除する動作)または、タッチドラッグ動作(特定位置をタッチした後タッチを維持した状態で所定の軌跡を描く動作)などをすべて含むものである。タッチ入力に対する前述した定義は、本発明を説明するすべての所で適用される。
【０１６１】
例えば、ボリューム調整部３１６０は、第２タッチボリュームインターフェースをタッチする場合第２タッチボリュームインターフェースをさらに透明に処理して該当第２タッチボリュームインターフェースと重畳される第１アプリケーションの表示領域がさらによく見えるようにすることができて、さらにひいては透明度を１００％で設定することで第２タッチボリュームインターフェースが全然見えないようにすることもできる。
【０１６２】
ここで第１タッチボリュームインターフェースと第２タッチボリュームインターフェースのうちでいずれか一つだけタッチしても第１タッチボリュームインターフェース及び第２タッチボリュームインターフェースの透明度を同時に制御することもできる。これはその反対の場合、すなわち、以後に説明するところのように第１タッチボリュームインターフェースまたは第２タッチボリュームインターフェースの透明度を低める場合にも同じである。
【０１６３】
また、前述したところのように第１タッチボリュームインターフェースまたは第２タッチボリュームインターフェースがディスプレイ部３１１０に表示された以後、既設定された時間が経過した場合、ボリューム調整部３１６０は第１タッチボリュームインターフェースまたは第２タッチボリュームインターフェースの透明度を既設定された値程度増加させることもできる。
【０１６４】
このように第１タッチボリュームインターフェースと第２タッチボリュームインターフェースの透明度が既設定された値に増加した以後、使用者の第１タッチボリュームインターフェースと前記第２タッチボリュームインターフェースのうちで少なくともいずれか一つに対するタッチ入力が感知されれば、ボリューム調整部３１６０は第１タッチボリュームインターフェースと第２タッチボリュームインターフェースの透明度を既設定された値で減少させることもできる。
【０１６５】
例えば、第１タッチボリュームインターフェース及び第２タッチボリュームインターフェースが５０％の透明度で表示された状態で使用者が第１タッチボリュームインターフェースの特定位置、例えば、画面閉めアイコンが表示された位置をタッチする場合、ボリューム調整部３１６０は第１タッチボリュームインターフェースと第２タッチボリュームインターフェースの透明度を９０％で高めて表示して、以後使用者が第１タッチボリュームインターフェースの中央部をタッチする場合、ボリューム調整部３１６０は第１タッチボリュームインターフェースと第２タッチボリュームインターフェースの透明度を５０％で修復させることができるものである。
【０１６６】
また、ボリューム調整部３１６０は、使用者入力部３１２０に含まれた所定のハードウェアボタンに第１アプリケーションの再生ボリューム調整機能と通話処理と関連された通話ボリューム調整機能のうちで少なくともいずれか一つを割り当てることができる。
但し、以下に本実施例を説明するにおいて、ボリューム調整部３１６０は、ハードウェアボタンに通話処理と関連された通話ボリューム調整機能を割り当てたことを一例とする。これによって使用者は、通話処理と関連された通話ボリューム調整のためにディスプレイ部３１１０に表示された第２タッチボリュームインターフェースをタッチ操作することもできて、または通信端末機３１００に物理的に既に具備された別途の通話ボリュームボタンを操作することもできるものである。
【０１６７】
すなわち、ボリューム調整部３１６０は、第１タッチボリュームインターフェースに対するタッチ入力が感知されることによって第１アプリケーションの再生ボリュームが調整されるように制御して、ハードウェアボタンに対する使用者の操作入力が感知されるか、または第２タッチボリュームインターフェースに対するタッチ入力が感知される場合には通話処理と関連された通話ボリュームが調整されるように制御するものである。
ハードウェアボタンに対する使用者の操作入力が感知された場合、ボリューム調整部３１６０はハードウェアボタンの使用者操作によって第１タッチボリュームインターフェースと第２タッチボリュームインターフェースのうちで少なくともいずれか一つの透明度を変更させることができる。
【０１６８】
例えば、第１タッチボリュームインターフェースと第２タッチボリュームインターフェースの透明度が９０％になった状態で、使用者がハードウェアボタンを押す場合、ボリューム調整部３１６０は第１タッチボリュームインターフェースと第２タッチボリュームインターフェースの透明度を５０％で変更させることができる。
【０１６９】
この時、ボリューム調整部３１６０は、使用者のハードウェアボタンを押す時間によって第１タッチボリュームインターフェースと第２タッチボリュームインターフェースの透明度を漸進的に増加または減少させることもできる。
【０１７０】
第１タッチボリュームインターフェースと第２タッチボリュームインターフェースにはそれぞれボリューム調整バーが含まれることができるが、使用者はボリューム調整バーをタッチドラッグして第１アプリケーションの再生ボリュームまたは通話処理と通話ボリュームを調節することができる。
【０１７１】
この時、ボリューム調整部３１６０は、ハードウェアボタンに対する使用者の操作入力が感知される場合、通話処理と関連された通話ボリュームが調整されるように制御すると共に第２タッチボリュームインターフェースのボリューム調整バーの位置が変更されるように制御することもできる。
【０１７２】
すなわち、使用者は前述したところのように通話ボリュームを調節するために第２タッチボリュームインターフェースのボリューム調整バーをタッチドラッグすることもできて、ハードウェアボリュームボタンを押すこともできるが、ハードウェアボリュームボタンを押す場合にもまるで第２タッチボリュームインターフェースのボリューム調整バーを使用者がタッチドラッグしたような効果が示されるようにするものである。
【０１７３】
以下では、図８を参照して本発明の第３実施例による通信端末機３１００の制御流れを説明する。
【０１７４】
先ず、第１アプリケーションを最上位レイヤーアプリケーションで設定して行う(段階Ｓ３０１)。
【０１７５】
ここで、最上位レイヤーアプリケーションを設定するということは、単純に一番最後にフォアグラウンドで実行されるアプリケーションをディスプレイ部３１１０の最上位レイヤーに表示されるように制御することを意味することもある。
【０１７６】
本実施例では、最上位レイヤーアプリケーションで設定された第１アプリケーションはＴＶ(Television)視聴アプリケーションであることを一例とする。
【０１７７】
この状態で使用者は、自分の通信端末機３１００を利用してＴＶ番組をリアルタイムで視聴することができる。
【０１７８】
通話受信イベントを感知する場合(段階Ｓ３０３)通信端末機３１００は、ＴＶ視聴アプリケーションの実行が維持されるようにしながらＴＶ放送画面が表示される領域のうちで一領域に通話受信お知らせメッセージを表示する(段階Ｓ３０５)。
【０１７９】
通話受信お知らせメッセージが表示された以後、使用者が通話受信を選択すれば(段階Ｓ３０７)、通信端末機３１００は通話処理機能をバックグラウンドで実行して(段階Ｓ３０９)、相手先と通話がなされるようにしながらもＴＶ視聴アプリケーションの動作には影響を及ぼさないようにする。
【０１８０】
続いて、通信端末機３１００は、第１アプリケーションの再生ボリュームに対応される第１タッチボリュームインターフェースと通話ボリュームに対応される第２タッチボリュームインターフェースをいっぺんにディスプレイ部３１１０の一領域に表示する(段階Ｓ３１１)。
【０１８１】
この時、第１タッチボリュームインターフェースと第２タッチボリュームインターフェースは、透明度処理(アルファ値適用)をして、第１アプリケーションによって再生されるＴＶ放送画面が映るようにすることができる。すなわち、第１タッチボリュームインターフェースと第２タッチボリュームインターフェースがその重畳されるＴＶ放送画面に完全に隠れるものではなく、第１タッチボリュームインターフェース及び第２タッチボリュームインターフェースを透過して見えるようにするものである。
また、通信端末機３１００は既に具備されたハードウェアボタン(例えば、通信端末機３１００側面に付着されたボリュームボタン)に通話ボリューム調整機能を割り当てる(段階Ｓ３１３)。
【０１８２】
図９は、ディスプレイ部３１１０に第１タッチボリュームインターフェースと第２タッチボリュームインターフェースが表示された一例を示す。
【０１８３】
図９で通話ボリュームインターフェース３１１２は、第２タッチボリュームインターフェースを意味して、メディアボリュームインターフェース３１１１は第１タッチボリュームインターフェースを意味する。そして、各ボリュームインターフェースにはボリューム調整バー１１４、１１５が具備されている。
【０１８４】
使用者はこのようなボリューム調整バー１１４、１１５をタッチドラッグして、通話ボリュームまたはメディアボリュームを調節することができるものである。
また、図９には通話ボリューム調整のためのハードウェア通話ボタン３１１３がさらに示されている。したがって、使用者は通話ボリュームを調整するためにハードウェア通話ボタン３１１３を押すこともできて、通話ボリュームインターフェース３１１２のボリューム調整バー３１１５を左右方向にタッチドラッグすることもできるものである。
【０１８５】
図１０は、このように使用者がボリュームを選択的に調整する過程を示している。
【０１８６】
通信端末機３１００は、使用者が第１タッチボリュームインターフェース３１１１のボリューム調整バー３１１４をタッチドラッグする場合(段階Ｓ３２１)、第１アプリケーションの再生ボリュームを調整する(段階Ｓ３２３)。
【０１８７】
また、使用者が第２タッチボリュームインターフェース３１１２のボリューム調整バー３１１５をタッチドラッグする場合には(段階Ｓ３２５)通話ボリュームを調整する(段階Ｓ３２７)。
【０１８８】
そして、使用者が既に具備されたハードウェアボタン３１１３を操作する場合(段階Ｓ３２９)通信端末機３１００は、第２タッチボリュームインターフェース３１１２のボリューム調整バー３１１５を左右に移動させると共に通話ボリュームを調整する(段階Ｓ３３１)。
【０１８９】
一方、前の図８で説明した通話受信お知らせメッセージには使用者が選択することができるメニューらが含まれることができるが、例えば、‘通話'メニュー、‘見ながら通話'メニューが通話受信お知らせメッセージに含まれることができるし、図１１では使用者がこのようなメニューを選択することによって遂行される過程の一例を示している。
【０１９０】
電話が来たというメッセージと共に使用者が選択可能なメニューらが表示された状態が図３(ａ)に示された。
【０１９１】
図３(ａ)を説明すると、ＴＶ放送が表示されている状態で該当ＴＶ放送画面の上端に‘０１０−８０８０−１２３４'番号を有する相手先から電話がかかって来たことが分かって、この時通信端末機３１００は、図３(ａ)に示されたところのように該当電話番号が住所録に既登録されている場合、該当住所録から相手先の名前を抽出して電話番号と共に表示することもできる。図３(ａ)には一例として相手先の名前が‘洪吉童'と表示されている。
【０１９２】
このように通話と関連されたメニューが表示された状態で(段階Ｓ３４１)使用者は、自分が願うメニューを選択することができるが、例えば、使用者が‘通話'メニューを選択した場合には(段階Ｓ３４３)通信端末機３１００は、既設置された基本電話アプリケーションに該当するＯＥＭ電話アプリケーションを実行させる(段階Ｓ３４５)。
【０１９３】
この時、通信端末機３１００にはＯＥＭ電話アプリケーションの実行によるインターフェース画面が表示されて、そのＯＥＭ電話アプリケーションの機能によって相手先との通話がなされることができる。
【０１９４】
この場合通信端末機３１００は、ＴＶ視聴アプリケーションの実行を一時停止させるか、または終了させることができる。
【０１９５】
ＯＥＭ電話アプリケーションが実行された例が図３(ｂ)に示された。同図面に示されたところのように既存に視聴していたＴＶ番組の代りに相手先との通話時に必要なメニューらを含む使用者インターフェースがディスプレイ部３１１０全体に表示されていることが分かる。すなわち、この場合はＯＥＭ電話アプリケーションが最上位レイヤーアプリケーションになるものである。
【０１９６】
一方、使用者が‘見ながら通話'メニューを選択した場合には(段階Ｓ３４７)、通信端末機３１００は通話処理機能をバックグラウンドで実行させることで(段階Ｓ３４９)、相手先と通話がなされるようにしながらもＴＶ視聴アプリケーションの動作には影響を及ぼさないようにする。
【０１９７】
すなわち、使用者は相手先と通話をしながらも既存に視聴していたＴＶ番組を続いて視聴することができるものである。
【０１９８】
この時、通信端末機３１００は、使用者の手動操作がなくてもＴＶ視聴アプリケーションによって発生されるサウンドの大きさを通話中には黙音処理するか、または既設定された以下の大きさになるように調節することもできる。
【０１９９】
通話処理機能がバックグラウンドで動作する一例が図３(ｃ)に示された。同図面に示されたところのように既存に視聴していたＴＶ番組は続いてディスプレイ部３１１０に表示されているし、単に相手先との通話時に必要なメニューらを含む使用者インターフェースがＴＶ番組画面の上端一部に表示されていることが分かる。
【０２００】
この場合、タッチボリュームインターフェースを表示する過程は、前で説明したところのようである。
【０２０１】
一方、前述した各実施例を遂行する過程の少なくとも一部は、所定の記録媒体(例えば、コンピューターで判読可能な)に記憶されたプログラムによってなされることができることは勿論である。
【０２０２】
例えば、前述した実施例での通話処理機能を遂行することは、所定のサーバーからダウンロードを受けた通話処理アップによって遂行されることができる。この時、通信端末機には端末機の発売開始時に設置されたＯＥＭ通話処理アプリケーションがある場合には、そのＯＥＭ通話処理アプリケーションとダウンロードを受けた通話処理アップが共存するようになる。
【０２０３】
すなわち、前述した実施例でＯＥＭ通話アプリケーションが実行された以後の過程を除いては所定のサーバーからダウンロードを受けた別途の通話処理アップによって遂行されることができるものである。
【０２０４】
これによって特定アプリケーションが実行されている状態で通話受信が選択される場合、その特定アプリケーションの再生ボリュームを制御するためのタッチボリュームインターフェースと通話処理による通話ボリュームを制御するためのタッチボリュームインターフェースがすべて表示されて、使用者がそれぞれ異なるアプリケーションのボリュームを容易に制御することができる。
【０２０５】
また、通信端末機に既に具備されたハードウェアボタンを通話ボリューム制御用で設定することで、使用者らの便宜性を増大させる。この時、ハードウェアボタンの操作時にもタッチボリュームインターフェースのボリューム調整バーを移動させることで、現在の通話ボリューム大きさを視覚的に確認することができる。
【０２０６】
以下では、本発明の第４実施例を図１２乃至図１６を参照して詳しく説明する。
まず、本実施例を説明するにおいて、通信端末機にはＯＥＭ通話アプリケーションが具備されている状態であり、このようなＯＥＭ通話アプリケーション以外に別途の通話アプリケーションまたは通話アップのダウンロードを受けて記憶されている状態であると仮定する。
【０２０７】
ここで、ＯＥＭ通話アプリケーションは、通信端末機の発売開始時に基本的に具備された通話関連アプリケーションを意味して、別途の通話アプリケーションまたは通話アップ(以下では、ＯＥＭ通話アプリケーションと区別するために‘通話アップ'と称する)はこのようなＯＥＭ通話アプリケーションとは区別されて、使用者の選択によってアップストアまたはアプリケーション提供サーバーなどからダウンロードを受けて設置されたアプリケーションを意味する。
【０２０８】
後述する通信端末機の機能ブロックまたは通信端末機の制御過程のうちで少なくとも一部はこのような通話アップで処理するようになる。
本発明の一実施例による通信端末機４１００機能ブロックの一例は、図１２に示されたところのようである。
【０２０９】
同図面に示されたところのように、通信端末機４１００はディスプレイ部４１１０、使用者入力部４１２０、イベント感知部４１３０、お知らせ部４１４０、通話処理部４１５０、ＯＥＭ通話メニュー呼び出し部４１６０を含んで構成されることができる。
【０２１０】
ディスプレイ部４１１０は、通信端末機４１００の動作による動画が表示されるか、または所定のお知らせメッセージまたはメニューが表示されるものであり、例えば、電力消耗が少ないＬＣＤ(Liquid Crystal Display)を含んで構成されることができる。
【０２１１】
使用者入力部４１２０は、使用者の操作入力を受けるものであり、例えば、少なくとも一つの押しボタンが含まれたキーパッドを含んで構成されることができるし、または使用者のタッチ入力を感知するタッチパッドを含んで構成されることもできる。
【０２１２】
特に、使用者入力部４１２０がタッチパッドを含んで構成される場合、使用者入力部４１２０と前で説明したディスプレイ部４１１０は一つのタッチスクリーンを構成することもできる。
【０２１３】
イベント感知部４１３０は通話受信イベントを感知する機能を遂行する。
【０２１４】
例えば、相手先端末機から電話がかかって来る場合、イベント感知部４１３０はその着信号の受信によるイベント、すなわち、通話受信イベントを感知するものである。通話受信イベントは受信される通話信号そのものであることもできて、通信端末機４１００のシステムプログラムで、または通信端末機４１００に具備された通話関連アプリケーション(一例で、ＯＥＭ通話モジュール)によって発生されたものであることがある。
【０２１５】
お知らせ部４１４０は、イベント感知部４１３０が通話受信イベントを感知した場合通話受信イベント発生前に最上位レイヤーで表示された第１アプリケーションの動作が維持されるようにしながら通話受信お知らせメッセージが画面の一領域−第１アプリケーションの表示領域のうちで一部領域、または前記第１アプリケーションの表示領域とは区別される別個の領域−に表示されるように制御する機能を遂行する。
【０２１６】
本実施例で第１アプリケーションの動作が維持されるということは、第１アプリケーションによる画面処理がずっと遂行されるというものである。すなわち、第１アプリケーションが動画再生アプリケーションの場合動画がずっとプレイされて画面に見えることを意味する。
【０２１７】
お知らせ部４１４０は、例えば、第１アプリケーションの表示領域のうちで一部領域に通話受信お知らせメッセージが表示されるように制御することができる。
【０２１８】
ここで、第１アプリケーションが通話受信イベント発生前に最上位レイヤーに表示されたということは、第１アプリケーションが通話受信イベント発生前に最上位レイヤーアプリケーションで設定されたことを意味する。
【０２１９】
第１アプリケーションが最上位レイヤーアプリケーションで設定されたということは、その第１アプリケーションがディスプレイ部４１１０の全体画面を占めるように設定されたということを意味することもあり、または各アプリケーションの動作による表示画面が重畳されて表示されている場合第１アプリケーションが一番上端のレイヤーに位置して、他のアプリケーションの表示画面に全然邪魔されないでその第１アプリケーションの動作による表示画面を使用者が優先して見られるように設定されたことを意味することもある。
【０２２０】
さらにひいては、第１アプリケーションが最上位レイヤーアプリケーションで設定されたということは、使用者のタッチドラッグ入力を第１アプリケーションの使用者入力で見做すということを意味することもある。
【０２２１】
レイヤーは、表示画面の重畳時にその優先順位を決めるための論理的区別に該当する。
通話受信お知らせメッセージは、相手先端末機から通話着信が発生したことを知らせる情報に該当することもできて、さらにひいては使用者が選択するための所定のメニューを含んでいることもある。
【０２２２】
例えば、通話受信お知らせメッセージには‘見ながら通話'メニュー‘通話'メニュー、‘拒絶メッセージ'メニュー、‘エンド'メニューが含まれることができる。このような各メニューの選択によって遂行される機能に対しては後述するようにする。
通話処理部４１５０は、使用者の使用者入力部４１２０を通じた通話受信選択を感知する場合、第１アプリケーションの動作が維持されるようにしながらバックグラウンドで通話処理がなされるように制御する機能を遂行する。
【０２２３】
例えば、通話処理部４１５０は別に通話処理機能を具備している場合には、該当通話処理機能をバックグラウンドで遂行することもできて、他の例として既に具備されたＯＥＭ通話アプリケーションがバックグラウンドで動作するように制御することもできる。
通話処理部４１５０が通話処理をバックグラウンドで遂行することは、第１アプリケーションの動作に影響を及ぼさないためである。
【０２２４】
ここで、バックグラウンドで通話処理を遂行するということは、第１アプリケーションの動作が維持されて、その第１アプリケーションによる実行画面にずっとディスプレイ部４１１０に表示されるようにした状態で相手先との通話がなされるように処理することを意味する。単に通話処理と関連された所定のメニューが画面の一領域に表示されることはできる。
【０２２５】
したがって、第１アプリケーションが動画再生アプリケーションである場合、使用者は動画をずっと視聴しながら相手先と電話通話ができるものである。
【０２２６】
この時、通話処理部４１５０は、第１アプリケーションの実行によるサウンドに対して黙音処理するか、または該当サウンドの大きさが既設定された大きさで自動調節されるように制御することもできる。例えば、通話処理部４１５０は、相手先との通話処理がバックグラウンドで実行されている状態では第１アプリケーションの実行によるサウンドの大きさが既設定された大きさで低められるように通信端末機４１００のシステムプログラムに要請することができる。
【０２２７】
システムプログラムが特定アプリケーションの動作によるサウンドの大きさ、すなわち、ボリュームを調節することは既に公知された技術に過ぎないので、より詳細な説明を略する。
【０２２８】
このために通話処理部４１５０は、第１アプリケーションのボリューム調節用ボタンと通話処理と関連されたボリューム調節用ボタンが同時にディスプレイ部４１１０に表示されるように制御することができる。この場合、使用者が通話処理と関連されたボリューム調節用ボタンを選択する場合には、通話処理部４１５０は通話中である相手先の声を調節することができるし、使用者が第１アプリケーションのボリューム調節用ボタンを選択する場合には、通話処理部４１５０は第１アプリケーションの実行によって発生されるサウンドの大きさを調節することができるものである。
【０２２９】
使用者の選択による具体的な実施例を説明すれば、通話処理部４１５０は使用者の‘見ながら通話'メニュー選択時には、第１アプリケーションの動作が維持されるようにしながらバックグラウンドで通話処理がなされるように制御する。
【０２３０】
これに反して、使用者の前記‘通話'メニュー選択時には通話処理部４１５０は、ＯＥＭ通話アプリケーションを最上位レイヤーアプリケーションで設定して画面転換を制御して、該当ＯＥＭ通話アプリケーションによって通話処理がなされるように制御する。
【０２３１】
ＯＥＭ通話アプリケーションを最上位レイヤーアプリケーションで設定して画面転換を制御するということは、通話処理アプリケーションの再生を中断させてＯＥＭ通話アプリケーションの実行による表示画面と第１アプリケーションの実行による表示画面が重畳される部分は、ＯＥＭ通話アプリケーションの実行による表示画面が優先して表示されるようにすることを意味することもある。一例として、ＯＥＭ通話アプリケーションの実行による表示画面が既存の第１アプリケーションの実行による表示画面を完全に覆うこともできるものである。
【０２３２】
また、使用者の‘拒絶メッセージ'メニュー選択時には、通話処理部４１５０は相手先に拒絶メッセージを文字メッセージなどを利用して送ることができるし、仮に、使用者が‘エンド'メニューを選択する場合には通話処理部４１５０は相手先からかかって来た電話を強制に切ることもできる。
【０２３３】
一方、通話処理部４１５０は、バックグラウンドで遂行される通話処理が終わるまで画面表示上の最上位レイヤーにフローティングメニューボタンを表示することもできる。ここで、最上位レイヤーにフローティングメニューボタンを表示するということは、すべての画面表示より優先してフローティングメニューボタンが表示されるようにするということを意味するものであり、例えば、フローティングメニューボタンと第１アプリケーションの実行による表示画面が重畳される場合、フローティングメニューボタンが優先して表示されるようにすることを意味する。すなわち、使用者の視覚から見れば、第１アプリケーションの実行による表示画面上にフローティングメニューボタンが表示されるか、または浮かんでいるように感じるようになるものである。
【０２３４】
この時フローティングメニューボタンは、所定の透明処理を遂行して、その下にあるレイヤーの表示画面(例えば、第１アプリケーションの実行による表示画面)が映るようにすることもできることは勿論である。
【０２３５】
また、通話処理部４１５０は、後述するところのようにＯＥＭ通話アプリケーションが支援する通話関連メニューが表示された以後にもフローティングメニューボタンが画面表示上の最上位レイヤーに表示されるように制御することができる。
【０２３６】
ＯＥＭ通話アプリケーションが支援する通話関連メニューが表示される前に表示されるフローティングメニューボタンとその後に表示されるフローティングメニューボタンは、その形態(イメージ、色相、位置など)がお互いに異なることがある。
【０２３７】
ＯＥＭ通話メニュー呼び出し部４１６０は、使用者の選択によってＯＥＭ通話アプリケーションが支援する通話関連メニューが表示されるように制御する機能を遂行する。特に、ＯＥＭ通話メニュー呼び出し部４１６０は、ＯＥＭ通話アプリケーションが支援する通話関連メニューが第１アプリケーションより上位レイヤーに表示されるように制御することができる。
【０２３８】
ここで、第１アプリケーションより上位レイヤーに表示されるということは、第１アプリケーションの動作によって表示されている映像と重畳される場合ＯＥＭ通話アプリケーションが支援する通話関連メニューを優先して表示されるようにするということを意味する。
【０２３９】
端的な例で別途の透明処理がなされない場合、ＯＥＭ通話アプリケーションが支援する通話関連メニューと第１アプリケーションの動作による映像が重畳される場合、その重畳領域ではＯＥＭ通話アプリケーションが支援する通話関連メニューだけ見えるようにするものである。
【０２４０】
この時、ＯＥＭ通話メニュー呼び出し部４１６０は、前で説明したフローティングメニューボタンの使用者選択によってＯＥＭ通話アプリケーションが支援する通話関連メニューが表示されるように制御することができる。
【０２４１】
例えば、使用者がフローティングメニューボタンをタッチするか、またはタッチドラッグすることによってＯＥＭ通話メニュー呼び出し部４１６０は、ＯＥＭ通話アプリケーションが支援する通話関連メニューが表示されるように制御することができるものである。現在バックグラウンド通話処理がＯＥＭ通話アプリケーションによってなされている場合には、ＯＥＭ通話メニュー呼び出し部４１６０は使用者のフローティングメニューボタンタッチなどを感知する場合、ＯＥＭ通話アプリケーションをフォアグラウンドに転換させて、ＯＥＭ通話アプリケーションが支援する通話関連メニューが表示されるようにすることもできる。
【０２４２】
前述したところのようにＯＥＭ通話アプリケーションが支援する通話関連メニューが表示されると共に前記第１アプリケーションの動作が終了または止められた場合には、ＯＥＭ通話メニュー呼び出し部４１６０は、フローティングメニューボタンの使用者選択によってＯＥＭ通話アプリケーションが支援する通話関連メニューの表示が終わる時点に、第１アプリケーションが再び動作するように制御することができる。
【０２４３】
これによって使用者は、続いて第１アプリケーションの動作画面を見ながら相手先と通話を続くことができる。
【０２４４】
以下では図１３を参照して、先ず本発明の一実施例による通信端末機４１００で使用者が受信方法を処理する過程を説明する。
【０２４５】
先ず、第１アプリケーションを最上位レイヤーアプリケーションで設定して実行する(段階Ｓ４０１)。
【０２４６】
ここで、最上位レイヤーアプリケーションを設定するということは、単純に一番最後にフォアグラウンドで実行されるアプリケーションをディスプレイ部４１１０の最上位レイヤーに表示されるように制御することを意味することもある。
【０２４７】
最上位レイヤーアプリケーションで設定された第１アプリケーションは、所定のマルチメディアファイルを再生するアプリケーションであることもあるが、本実施例では第１アプリケーションはＴＶ(Television)視聴アプリケーションであることを一例とする。
【０２４８】
この状態で使用者は、自分の通信端末機４１００を利用してＴＶ番組をリアルタイムで視聴することができる。
【０２４９】
通話受信イベントを感知する場合(段階Ｓ４０３)通信端末機４１００は、ＴＶ視聴アプリケーションの実行が維持されるようにしながらＴＶ放送画面が表示される領域のうちで一領域に通話受信お知らせメッセージを表示する(段階Ｓ４０５)。
【０２５０】
この時、通話受信お知らせメッセージには使用者が選択することができるメニューらが含まれることができるが、例えば‘通話'メニュー、‘見ながら通話'メニューが通話受信お知らせメッセージに含まれることができる。または、通話受信お知らせメッセージ表示とは区別される時点に前述したメニューらが使用者選択によって表示されることもできる。
【０２５１】
電話が来たというメッセージと共に使用者が選択可能なメニューらが表示された状態が図３(ａ)に示された。
【０２５２】
図３(ａ)を説明すると、ＴＶ放送が表示されている状態で該当ＴＶ放送画面上端に‘０１０−８０８０−１２３４'番号を有する相手先から電話がかかって来たことが分かって、この時通信端末機４１００は、図３(ａ)に示されたところのように該当電話番号が住所録に既登録されている場合、該当住所録から相手先の名前を抽出して電話番号と共に表示することもできる。図３(ａ)には一例として相手先の名前が‘洪吉童'で表示されている。
【０２５３】
このように通話と関連されたメニューが表示された状態で使用者は、自分が願うメニューを選択することができるが、例えば、使用者が‘通話'メニューを選択した場合には(段階Ｓ４０７)通信端末機４１００は、既設置された基本電話アプリケーションに該当するＯＥＭ通話アプリケーションをフォアグラウンドで実行させる(段階Ｓ４０９)。
【０２５４】
この時、通信端末機４１００にはＯＥＭ通話アプリケーションの実行によるインターフェース画面が表示されて、そのＯＥＭ通話アプリケーションの機能によって相手先との通話がなされることができる。
【０２５５】
この場合、通信端末機４１００はＴＶ視聴アプリケーションの実行を一時停止させるか、または終了させることができる。
【０２５６】
ＯＥＭ通話アプリケーションが実行された例が図３(ｂ)に示された。同図面に示されたところのように既存に視聴していたＴＶ番組の代りに相手先との通話時に必要なメニューらを含む使用者インターフェースがディスプレイ部４１１０全体に表示されていることが分かる。すなわち、この場合はＯＥＭ通話アプリケーションが最上位レイヤーアプリケーションになるものである。
【０２５７】
一方、使用者が‘見ながら通話'メニューを選択した場合には(段階Ｓ４０７)通信端末機４１００は、通話処理機能をバックグラウンドで実行させることで(段階Ｓ４１１)相手先と通話がなされるようにしながらもＴＶ視聴アプリケーションの動作には影響を及ぼさないようにする。
【０２５８】
すなわち、使用者は、相手先と通話をしながらも既存に視聴していたＴＶ番組を続いて視聴することができるものである。
【０２５９】
この時、通信端末機４１００は、使用者の手動操作がなくてもＴＶ視聴アプリケーションによって発生されるサウンド大きさを通話中には黙音処理するか、または既設定された以下の大きさになるように調節することもできる。
【０２６０】
通話処理機能がバックグラウンドで動作する一例が図３(ｃ)に示された。同図面に示されたところのように既存に視聴していたＴＶ番組は続いてディスプレイ部４１１０に表示されているし、単に相手先との通話時に必要なメニューらを含む使用者インターフェースがＴＶ番組画面の上端一部に表示されていることが分かる。
【０２６１】
図１４は、前述した過程のうちで通話処理機能をバックグラウンドで実行する過程以後、すなわち、使用者が‘見ながら通話'メニューを選択した以後になされる制御過程を説明する。
【０２６２】
通話処理機能をバックグラウンドで実行した以後(段階Ｓ４２１)、通信端末機４１００はフローティングメニューボタン４１１１をＴＶ視聴アプリケーションの実行によるＴＶ放送画面上に表示する(段階Ｓ４２３)。
【０２６３】
この時、使用者は、ＴＶ放送画面を視聴すると共に相手先と通話をすることができる。
この状態で図１５(ａ)のように使用者がフローティングメニューボタン４１１１を右側方向にドラッグする場合(段階Ｓ４２５)通話状態をずっと維持すると共にＯＥＭ通話アプリケーションで支援する通話関連メニュー、すなわち、付加機能メニューが表示されるように制御する。この時、図１５(ｂ)のようにフローティングメニューボタン４１１２も続いて画面表示最上位レイヤーに示されるように制御する(段階Ｓ４２７)。
【０２６４】
この時、通信端末機４１００は、第１アプリケーションの動作は続いて進行することができるが、使用者はＯＥＭ通話アプリケーションの通話関連メニュー画面によってその第１アプリケーション実行画面を見られなくて、単に音だけ聞くことができる。
【０２６５】
他の例として、通信端末機４１００は、第１アプリケーションの動作を中断または一時停止することもできる。
【０２６６】
図１５(ｂ)でＯＥＭ通話アプリケーションメニュー画面は、図３(ｂ)の録音、エンド、ダイヤルパッド、スピーカー、音消去、ブルートゥース通信などのように通話関連メニューを含む画面であることもある。
【０２６７】
このような通話関連メニューに対する使用者選択を感知する場合(段階Ｓ４２９)通信端末機４１００は、その選択されたメニューに対応される機能を遂行する(段階Ｓ４３１)。
【０２６８】
例えば、録音メニューを使用者が選択すれば通信端末機４１００は、現在通話内容を録音して、音消去メニューを使用者が選択すれば通信端末機４１００は、相手先にどのような音も伝送されないようにする。
【０２６９】
仮に、使用者が現時点で表示されているフローティングメニューボタン４１１２を図１５(ｃ)のように左側方向にタッチドラッグすれば(段階Ｓ４３３)、通信端末機４１００はＯＥＭ通話アプリケーションが支援する通話関連メニューの表示を終了すると(段階Ｓ４３５)同時に中断された第１アプリケーションの動作を再開する(段階Ｓ４３７)。
【０２７０】
この場合にも図１５(ｄ)に示されたところのように第１アプリケーションの動作画面上にフローティングメニューボタン４１１１が表示されることができることは勿論である。
【０２７１】
これにＯＥＭ通話アプリケーションが搭載された移動通信端末機使用者は、そのＯＥＭ通話アプリケーションとは区別される別途の通話アップのダウンロードを受けて利用することができるし、また、通話アップの制御によって通話がなされた状況でＯＥＭ通話アプリケーションで提供する付加機能を容易に活用することができる。
【０２７２】
以下では、本発明の第５実施例を図１６乃至図２１を参照して詳しく説明する。
本発明の第５実施例による通信端末機５１００機能ブロックの一例は、図１６に示されたところのようである。
【０２７３】
同図面に示されたところのように、通信端末機５１００はディスプレイ部５１１０、使用者入力部５１２０、イベント感知部５１３０、お知らせ部５１４０、通話処理部５１５０、メニュー表示部５１６０を含んで構成されることができる。
【０２７４】
ディスプレイ部５１１０は、通信端末機５１００の動作による動画が表示されるか、または所定のお知らせメッセージまたはメニューが表示されるものであり、例えば、電力消耗が少ないＬＣＤ(Liquid Crystal Display)を含んで構成されることができる。
【０２７５】
使用者入力部５１２０は、使用者の操作入力を受けるものであり、例えば、少なくとも一つの押しボタンが含まれたキーパッドを含んで構成されることができるし、または使用者のタッチ入力を感知するタッチパッドを含んで構成されることもできる。
【０２７６】
特に、使用者入力部５１２０がタッチパッドを含んで構成される場合使用者入力部５１２０と前で説明したディスプレイ部５１１０は一つのタッチスクリーンを構成することもできる。
【０２７７】
イベント感知部５１３０は、通話受信イベントを感知する機能を遂行する。
【０２７８】
例えば、相手先端末機から電話がかかって来る場合、イベント感知部５１３０はその着信号の受信によるイベント、すなわち、通話受信イベントを感知するものである。通話受信イベントは受信される通話信号そのものであることもあり、通信端末機５１００のシステムプログラムでまたは通信端末機５１００に具備された通話関連アプリケーション(一例で、ＯＥＭ通話モジュール)によって発生されたものであることもある。
【０２７９】
お知らせ部５１４０は、イベント感知部５１３０が通話受信イベントを感知した場合通話受信イベント発生前に最上位レイヤーで表示された第１アプリケーションの動作が維持されるようにしながら通話受信お知らせメッセージが画面の一領域−第１アプリケーションの表示領域のうちで一部領域または前記第１アプリケーションの表示領域とは区別される別個の領域−に表示されるように制御する機能を遂行する。
【０２８０】
本実施例で第１アプリケーションの動作が維持されるということは、第１アプリケーションによる画面処理がずっと遂行されるというものである。すなわち、第１アプリケーションが動画再生アプリケーションである場合、動画がずっとプレイされて画面に見えることを意味する。
【０２８１】
お知らせ部５１４０は、例えば、第１アプリケーションの表示領域のうちで一部領域に通話受信お知らせメッセージが表示されるように制御することができる。
【０２８２】
ここで、第１アプリケーションが通話受信イベント発生前に最上位レイヤーに表示されたということは、第１アプリケーションが通話受信イベント発生前に最上位レイヤーアプリケーションで設定されたことを意味する。
【０２８３】
第１アプリケーションが最上位レイヤーアプリケーションで設定されたということは、その第１アプリケーションがディスプレイ部５１１０の全体画面を占めるように設定されたということを意味することもあり、または各アプリケーションの動作による表示画面が重畳されて表示されている場合、第１アプリケーションが一番上端のレイヤーに位置して他のアプリケーションの表示画面に全然邪魔されないでその第１アプリケーションの動作による表示画面を使用者が優先して見られるように設定されたことを意味することもある。
【０２８４】
さらにひいては、第１アプリケーションが最上位レイヤーアプリケーションで設定されたということは、使用者のタッチドラッグ入力を第１アプリケーションの使用者入力で見做すということを意味することもある。
【０２８５】
レイヤーは、表示画面の重畳時にその優先順位を決めるための論理的区別に該当する。
通話受信お知らせメッセージは、相手先端末機から通話着信が発生したことを知らせる情報に該当することもできて、さらにひいては使用者が選択するための所定のメニューを含んでいることもできる。
【０２８６】
例えば、通話受信お知らせメッセージには、‘見ながら通話'メニュー‘通話'メニュー、‘拒絶メッセージ'メニュー、‘エンド'メニューが含まれることができる。このような各メニューの選択によって遂行される機能に対しては後述するようにする。
【０２８７】
メニュー表示部５１６０は、使用者選択のためのメニュー客体を画面一部領域に表示する機能を遂行するが、通話受信お知らせメッセージが表示される場合、または通話受信お知らせメッセージが表示された後使用者の選択がある場合には拡張メニュー客体を画面一部領域に表示する。
【０２８８】
ここで、拡張メニュー客体は後述する縮小メニュー客体と区別されるものであり、メニュー客体の大きさが変動可能であるという前題下に拡張メニュー客体はその大きさが左右方向または上下方向などに拡張されている状態の客体を意味して、縮小メニュー客体はその拡張されている状態で何らかの理由でその大きさが減った状態の客体を意味する。
【０２８９】
例えば、拡張メニュー客体は、使用者が直ちに選択することができるメニュー項目が示されている客体であることもある。すなわち、拡張メニュー客体は使用者がメニュー項目を確認するために別途のタッチ動作を遂行するか、または別途のボタンを押さなくても現在使用者が特定機能を選択することができる少なくとも一つのメニュー項目がディスプレイ部５１１０上に示されている状態の客体を意味することができるものである。
【０２９０】
本実施例でメニュー項目は、通話関連された特定機能を遂行するために選択されるものを意味するが、例えば、通話開示、通話終了、通話関連の付加機能遂行または終了などに対応されるものであることができる。特に、拡張メニュー客体には前述したところのように少なくとも一つのメニュー項目だけではなく、通話状態情報も示されるように含まれることがあり得る。
【０２９１】
これに反して縮小メニュー客体は、使用者が選択することができるメニュー項目が隠されている状態の客体であることもある。この場合使用者は、メニュー項目を確認するためには別途のタッチ動作を遂行するか、または別途のボタンを押さなければならない。単に縮小メニュー客体には前述したメニュー項目を除いた通話状態情報だけ示されるように含まれることがあり得る。
【０２９２】
このような差によって縮小メニュー客体の大きさは、拡張メニュー客体の大きさよりさらに小さいしかない。
【０２９３】
前述したところのように拡張メニュー客体を表示したメニュー表示部５１６０は、後述するところのように通話処理がバックグラウンドで遂行される時点に拡張メニュー客体を縮小メニュー客体に転換させて表示することができる。
【０２９４】
または、メニュー表示部５１６０は、使用者の客体縮小命令を感知する場合、拡張メニュー客体を縮小メニュー客体に転換させて表示することもできる。ここで、使用者の客体縮小命令は、例えば、使用者のタッチ入力または音声入力に該当することができる。特に、使用者の該当拡張客体メニューに対するタッチ入力が客体縮小命令に該当することができる。
【０２９５】
ここで、使用者のタッチ入力は、タッチタップ動作(特定位置をタッチしてからタッチを解除する動作)または、タッチドラッグ動作(特定位置をタッチした後タッチを維持した状態で所定の軌跡を描く動作)などをすべて含むものである。タッチ入力に対する前述した定義は、本発明を説明するすべての所で適用される。
【０２９６】
例えば、使用者が拡張メニュー客体に対してタッチ入力するか、または既登録された特定音声で命令を下す場合、メニュー表示部５１６０はこれを感知して、拡張メニュー客体を縮小客体メニューに転換させることができるものである。
【０２９７】
この時、メニュー表示部５１６０は、縮小メニュー客体を拡張メニュー客体より既設定された値程度透明度をさらに高めて表示することで、縮小メニュー客体と重畳される第１アプリケーションによる映像が映ったように見えるようにすることができる。
【０２９８】
そして、使用者の客体拡張命令を感知した場合、メニュー表示部５１６０は縮小メニュー客体を拡張メニュー客体に転換させることもできる。ここで、客体拡張命令は前で説明した客体縮小命令と同様に使用者のタッチ入力または音声入力に該当することができる。
【０２９９】
例えば、使用者が縮小メニュー客体に対してタッチ入力するか、または既登録された特定音声で命令を下す場合、メニュー表示部５１６０はこれを感知して縮小メニュー客体を拡張客体メニューに転換させることができるものである。
【０３００】
前述した例では、拡張メニュー客体と縮小メニュー客体との間の転換を一例にしたが、拡張メニュー客体の表示と隠しとの間の転換がなされることもできる。
【０３０１】
例えば、使用者が拡張メニュー客体が表示された状態で使用者の客体隠し命令(前で説明した客体縮小命令に対応される)を下す場合、メニュー表示部５１６０は拡張メニュー客体がディスプレイ部５１１０上で見えないように処理することができるものである。
【０３０２】
端的な例で、使用者が拡張メニュー客体に対してタッチ入力する場合、メニュー表示部５１６０は拡張メニュー客体を一時隠して、見えないようにすることもできるものである。
【０３０３】
反対に、拡張メニュー客体が隠し転換された以後、使用者の客体隠し解除命令(前で説明した客体拡張命令に対応される)を感知する場合メニュー表示部５１６０は隠し転換された拡張メニュー客体が表示転換されて、ディスプレイ部５１１０上で見えるようにすることができるものである。
【０３０４】
前述した客体隠し命令及び客体隠し解除命令は、使用者のタッチ入力または音声入力によってなされることができる。
【０３０５】
一方、通話処理部５１５０は、使用者の使用者入力部５１２０を通じた通話受信選択を感知する場合、第１アプリケーションの動作が維持されるようにしながらバックグラウンドで通話処理がなされるように制御する機能を遂行する。
【０３０６】
例えば、通話処理部５１５０は別に通話処理機能を具備している場合には該当通話処理機能をバックグラウンドで遂行することもできて、他の例として既に具備されたＯＥＭ通話アプリケーションがバックグラウンドで動作するように制御することもできる。
【０３０７】
例えば、通話処理部５１５０は、使用者の拡張メニュー客体に対する選択によってバックグラウンドで通話処理が遂行されるように制御することができる。
【０３０８】
通話処理部５１５０が通話処理をバックグラウンドで遂行することは、第１アプリケーションの動作に影響を及ぼさないようにするためである。
【０３０９】
ここで、バックグラウンドで通話処理を遂行するということは、第１アプリケーションの動作が維持されて、その第１アプリケーションによる実行画面がずっとディスプレイ部５１１０に表示されるようにした状態で相手先との通話がなされるように処理することを意味する。単に通話処理と関連された所定のメニューが画面の一領域に表示されることはできる。
【０３１０】
例えば、第１アプリケーションが動画再生アプリケーションである場合、使用者は動画をずっと視聴しながら相手先と電話通話ができるものである。
【０３１１】
この時、通話処理部５１５０は第１アプリケーションの実行によるサウンドに対して黙音処理するか、または該当サウンドの大きさが既設定された大きさで自動調節されるように制御することもできる。例えば、通話処理部５１５０は相手先との通話処理がバックグラウンドで実行されている状態では第１アプリケーションの実行によるサウンドの大きさが既設定された大きさで低められるように通信端末機５１００のシステムプログラムに要請することができる。
【０３１２】
システムプログラムが特定アプリケーションの動作によるメディアサウンド(通話サウンドとは区別される)の大きさ、すなわち、ボリュームを調節することは既に公知された技術に過ぎないので、より詳細な説明を略する。
【０３１３】
このために通話処理部５１５０は、第１アプリケーションのボリューム調節用ボタンと通話処理と関連されたボリューム調節用ボタンが同時にディスプレイ部５１１０に表示されるように制御することができる。この場合、使用者が通話処理と関連されたボリューム調節用ボタンを選択する場合には、通話処理部５１５０は通話中である相手先の声を調節することができるし、使用者が第１アプリケーションのボリューム調節用ボタンを選択する場合には、通話処理部５１５０は第１アプリケーションの実行によって発生されるサウンドの大きさを調節することができるものである。
【０３１４】
使用者選択による具体的な実施例を説明すれば、通話処理部５１５０は使用者の‘見ながら通話'メニュー選択時には第１アプリケーションの動作が維持されるようにしながらバックグラウンドで通話処理が遂行されるように制御する。
【０３１５】
これに反して、使用者の前記‘通話'メニュー選択時には、通話処理部５１５０は通話処理アプリケーションを最上位レイヤーアプリケーションで設定して画面転換を制御して、該当通話処理アプリケーションによって通話処理がなされるように制御する。
【０３１６】
ここで、通話処理アプリケーションは、通話処理部５１５０に含まれた一つのモジュールに該当することもできて、通信端末機５１００に具備されたＯＥＭ通話モジュールのような別途の通話モジュールに該当することもできる。
【０３１７】
通話処理アプリケーションを最上位レイヤーアプリケーションで設定して画面転換を制御するということは、通話処理アプリケーションの実行による表示画面と第１アプリケーションの実行による表示画面が重畳される部分は、通話処理アプリケーションの実行による表示画面が優先して表示されるようにすることを意味することもある。一例として、通話処理アプリケーションの実行による表示画面が既存の第１アプリケーションの実行による表示画面を完全に覆うこともできるものである。
【０３１８】
また、使用者の‘拒絶メッセージ'メニュー選択時には、通話処理部５１５０は相手先に拒絶メッセージを文字メッセージなどを利用して送ることができるし、仮に、使用者が‘エンド'メニューを選択する場合には、通話処理部５１５０は相手先からかかって来た電話を強制に切ることもできる。
【０３１９】
以下では、図１７を参照して本発明の第５実施例による通信端末機５１００の制御流れを説明する。
【０３２０】
先ず、第１アプリケーションを最上位レイヤーアプリケーションで実行する(段階Ｓ５０１)。
【０３２１】
ここで、最上位レイヤーアプリケーションを設定するということは、単純に一番最後にフォアグラウンドで実行されるアプリケーションをディスプレイ部５１１０の最上位レイヤーに表示されるように制御することを意味することもある。
【０３２２】
本実施例では最上位レイヤーアプリケーションで設定された第１アプリケーションは、所定のマルチメディアファイルを再生するアプリケーションであるか、またはゲームアプリケーションであることができるが、本実施例では第１アプリケーションは、ＴＶ(Television)視聴アプリケーションであることを一例とする。
【０３２３】
この状態で使用者は、自分の通信端末機５１００を利用してＴＶ番組をリアルタイムで視聴することができる。
【０３２４】
通話受信イベントを感知する場合(段階Ｓ５０３)通信端末機５１００は、ＴＶ視聴アプリケーションの実行が維持されるようにしながらＴＶ放送画面が表示される領域のうちで一領域に通話受信お知らせメッセージを表示する(段階Ｓ５０５)。
【０３２５】
続いて、使用者の選択によって通信端末機５１００は、図１８のように拡張メニュー客体５１１１を表示する(段階Ｓ５０７)。
【０３２６】
拡張メニュー客体には、図１８に示されたところのように電話をかけた発信者に対する情報、すなわち、通話情報と使用者が相手先と電話連結になるようにするために選択可能なボタン、すなわち、メニュー項目が含まれることができる。
【０３２７】
使用者が図１９(ａ)のようにメニュー項目、すなわち、通話ボタン５１１３をタッチする場合、すなわち、使用者のメニュー項目選択を通じた通話受信選択を感知する場合(段階Ｓ５０９)通信端末機５１００は、通話処理機能をバックグラウンドで実行する(段階Ｓ５１１)。すなわち、通信端末機５１００は通話処理機能をバックグラウンドで実行させることで(段階Ｓ５１１)、相手先と通話がなされるようにしながらもＴＶ視聴アプリケーションの動作には影響を及ぼさないようにする。
【０３２８】
すなわち、使用者は相手先と通話をしながらも既存に視聴していたＴＶ番組を続いて視聴することができるものである。
【０３２９】
この時、通信端末機５１００は使用者の手動操作がなくても、ＴＶ視聴アプリケーションによって発生されるサウンドの大きさを通話中には黙音処理するか、または既設定された以下の大きさになるように調節することもできる。
【０３３０】
また、通信端末機５１００は、拡張メニュー客体を縮小メニュー客体に転換させて、その縮小メニュー客体の透明度を拡張メニュー客体よりさらに増加させることができる(段階Ｓ５１３)。この時、通話ボタンは通話エンドボタンに転換されることもできる。
図１９(ｂ)は、拡張メニュー客体が減る中間過程を示して、図１９(ｃ)は、拡張メニュー客体が減って最終的に縮小メニュー客体になされた状態を示している。
【０３３１】
このように拡張メニュー客体が減って縮小メニュー客体になって透明度も増加するようになれば、拡張メニュー客体が表示された時より第１アプリケーションの実行画面を視聴するのに邪魔をより少なめに受けるようになる。
【０３３２】
この状態で、使用者が図２０(ａ)に示されたところのように縮小メニュー客体５１１２をタッチドラッグする場合(段階Ｓ５１５)、通信端末機５１００は図２０(ｂ)に示されたところのように縮小メニュー客体を特定方向に確張した拡張メニュー客体５１１１を表示する。この時、通信端末機５１００は透明度も減少させて、拡張メニュー客体に含まれたメニュー項目を使用者が明確に確認できるようにする(段階Ｓ５１７)。
【０３３３】
図２０(ａ)では、縮小メニュー客体をタッチドラッグして縮小メニュー客体自体を移動させた後に拡張メニュー客体に変更されることを一例にしたが、使用者のタッチドラッグによって縮小メニュー客体の位置は移動しないで、形態だけ漸次的に拡張メニュー客体に変更されるようにすることもできることは勿論である。
【０３３４】
使用者がメニュー項目を選択する場合、例えば、通話エンドメニュー項目を選択する場合(段階Ｓ５１９)、通信端末機５１００はバックグラウンドで実行されていた通話処理を終了させる(段階Ｓ５２１)。
【０３３５】
これによって使用者がＴＶ視聴アプリケーションによってＴＶ放送プログラムを続いて視聴することができる。
【０３３６】
一方、前で拡張メニュー客体には通話受信方法を選択するようにするメニューが含まれることができるが、そのそれぞれの処理過程に対しては図２１に示されている。
【０３３７】
すなわち、拡張メニュー客体に‘通話'メニュー項目と、‘見ながら通話'メニュー項目が含まれている状態で(段階Ｓ５３１)、使用者が‘通話'メニュー項目を選択する場合(段階Ｓ５３３)、通信端末機５１００は既設置された基本電話アプリケーションに該当するＯＥＭ通話アプリケーションを実行させる(段階Ｓ５３５)。この時、通信端末機５１００にはＯＥＭ通話アプリケーションの実行によるインターフェース画面が表示されて、そのＯＥＭ通話アプリケーションの機能によって相手先との通話がなされることができる。この場合、通信端末機５１００はＴＶ視聴アプリケーションの実行を一時停止させるか、または終了させることができる。ＯＥＭ通話アプリケーションが実行された以後の処理過程は、既に公知されたものであるので、より詳細な説明を略する。
【０３３８】
一方、使用者が‘見ながら通話'メニューを選択した場合には(段階Ｓ５３３)、通信端末機５１００は通話処理機能をバックグラウンドで実行させることで(段階Ｓ５３７)、相手先と通話がなされるようにしながらもＴＶ視聴アプリケーションの動作には影響を及ぼさないようにする。すなわち、使用者は相手先と通話をしながらも既存に視聴したＴＶ番組を続いて視聴することができるものである。この時、通信端末機５１００は使用者の手動操作がなくてもＴＶ視聴アプリケーションによって発生されるサウンドの大きさを通話中には黙音処理するか、または既設定された大きさ以下になるように調節することもできる。
【０３３９】
そして、通信端末機５１００は通話処理機能をバックグラウンドで実行した状態で自動に拡張メニュー客体を縮小して、縮小メニュー客体になるように制御する(段階Ｓ５３９)。その後の処理過程は、前で図１７を参照して説明したので、重複説明を略する。
【０３４０】
図示しなかったが、使用者が‘拒絶メッセージ'メニューを選択する場合通信端末機５１００は、受信拒否メッセージを生成して電話をかけた相手先端末機に送ることもできるが、受信拒否メッセージは短文メッセージサービスセンター(ＳＭＳＣ)のような一種の文字メッセージサーバーを経由して伝送されるメッセージであることもあり、または所定のプッシュサーバーを経由して相手先端末機に伝送されるメッセージであることもある。
【０３４１】
これに、相手先と通話がなされる間に第１アプリケーションの実行による画面表示処理がずっと遂行されるようにすることができる。また、この時、通話関連されたメニューの大きさを自動に最小化されるようにすることで(すなわち、縮小メニュー客体表示)、第１アプリケーションの実行による画面を邪魔することを最小化することができる。
【０３４２】
以下では、添付図面を参照して本発明に対して詳しく説明する。
【０３４３】
まず、本発明の第６実施例を図２２乃至図２５を参照して説明すれば次のようである。
【０３４４】
まず、本発明の第６実施例による通信端末機６１００機能ブロックの一例は、図２２に示されたところのようである。
【０３４５】
同図面に示されたところのように、通信端末機６１００は、ディスプレイ部６１１０、使用者入力部６１２０、イベント感知部６１３０、お知らせ部６１４０、通話処理部６１５０、サウンド出力モード転換部６１６０、レシーバー６１７)、高出力スピーカー６１８０、表示制御部６１９０を含んで構成されることができる。
【０３４６】
ここで、ディスプレイ部６１１０、使用者入力部６１２０、イベント感知部６１３０、お知らせ部６１４０は、図１を参照して説明した第１−１実施例と同一であるので、重複説明を略する。
【０３４７】
レシーバー６１７０は、音声通話のように使用者が端末機を耳に当てて通話をする時、サウンドを出力させるものであり、一種の低出力スピーカーに該当する。
【０３４８】
高出力スピーカー６１８０は、映像通話のように使用者が端末機を耳から遠く離して通話をする時にサウンドを出力させるスピーカーを意味する。
【０３４９】
表示制御部６１９０は、使用者選択のためのメニュー客体を画面一部領域に表示する機能を遂行するが、通話受信お知らせメッセージが表示される場合、または通話受信お知らせメッセージが表示された後に使用者の選択がある場合には拡張メニュー客体を画面一部領域に表示することができる。
【０３５０】
ここで、拡張メニュー客体は、後述する縮小メニュー客体と区別されるものであり、メニュー客体の大きさが変動可能であるという前題下に拡張メニュー客体は、その大きさが左右方向または上下方向などに拡張されている状態の客体を意味して、縮小メニュー客体はその拡張されている状態で何らかの理由でその大きさが減った状態の客体を意味する。
【０３５１】
例えば、拡張メニュー客体は、使用者が直ちに選択することができるメニュー項目が示されている客体であることができる。すなわち、拡張メニュー客体は、使用者がメニュー項目を確認するために別途のタッチ動作を遂行するか、または別途のボタンを押さなくても現在使用者が特定機能を選択することができる少なくとも一つのメニュー項目がディスプレイ部６１１０上に示されている状態の客体を意味することができるものである。
【０３５２】
本実施例でメニュー項目は、通話関連された特定機能を遂行するために選択されることを意味するが、例えば、通話開示、通話終了、通話関連の付加機能遂行または終了などに対応されるものであることができるし、さらにひいては、出力モード転換選択に対応されるものであることができる。
【０３５３】
例えば、表示制御部６１９０は、使用者の通話受信選択によって第１アプリケーションの動作が維持されるようにしながらバックグラウンドで通話処理を遂行する場合、スピーカーモードから基本モードに切り替えるようにするか、または基本モードからスピーカーモードに切り替えるようにするための出力モード転換選択メニューを表示する機能を遂行する。
【０３５４】
参照で通信端末機６１００の動作モードには基本モードとスピーカーモードがあるが、ここで基本モードはサウンド出力がレシーバー６１７０を通じてなされるモードに該当して、スピーカーモードはサウンド出力が高出力スピーカー６１８０を通じてなされるモードに該当する。
【０３５５】
特に、拡張メニュー客体には前述したところのように少なくとも一つのメニュー項目だけではなく、通話状態情報も示されるように含まれていることがあり得る。
【０３５６】
これに反して縮小メニュー客体は、使用者が選択することができるメニュー項目が隠されている状態の客体であることができる。この場合使用者は、メニュー項目を確認するためには別途のタッチ動作を遂行するか、または別途のボタンを押さなければならない。単に縮小メニュー客体には前述したメニュー項目を除いた通話状態情報だけ示されるように含まれていることがあり得る。
【０３５７】
このような差によって縮小メニュー客体の大きさは、拡張メニュー客体の大きさよりさらに小さいしかない。
【０３５８】
一方、サウンド出力モード転換部６１６０は、使用者の出力モード転換選択メニューの操作によって基本モードからスピーカーモードへの転換、またはスピーカーモードから基本モードへの復帰を遂行する。
【０３５９】
このようなサウンド出力モード転換部６１６０の機能によって通話処理部は、通話処理と関連されたサウンドをレシーバー６１７０または高出力スピーカー６１８０に出力するようになる。
【０３６０】
通話処理部６１５０が使用者による通話受信選択を感知する場合第１アプリケーションの動作が維持されるようにしながらバックグラウンドで通話処理を遂行することは、第１−１実施例で言及したところと同一であるので、重複説明を略する。
【０３６１】
以下では、本発明の第６実施例による通信端末機６１００の制御過程を図２３を参照して説明する。
【０３６２】
第１アプリケーションが最上位レイヤーアプリケーションで設定されて実行されている状態で(段階Ｓ６０１)、通話受信イベントを感知した場合(段階Ｓ６０３)、通信端末機６１００は第１アプリケーションの実行が維持されるようにしながら表示領域のうちで一部領域に通話受信お知らせメッセージが表示されるようにする(段階Ｓ６０５)。
【０３６３】
この時、通信端末機６１００は、図２４のような拡張メニュー客体６１１１を表示領域一部に示すことができる。図２４で各番号で表示された選択ボタンは、それぞれの選択項目に該当するが、例えば、１番ボタン６１１２は、従来の基本方式で電話を受信するための‘基本電話受信’メニュー項目であり、２番ボタン６１１３は、現在実行中である第１アプリケーションの動作が維持されるようにしながら通話処理がバックグラウンドで遂行されるようにするための‘見ながらコール’メニュー項目であり、３番ボタン６１１４は、相手先に拒絶メッセージを送るための‘拒絶メッセージ伝送’メニュー項目であり、４番ボタン６１１２５は、電話を切るための‘エンド’メニュー項目である。
【０３６４】
この時、使用者が‘見ながらコール’メニュー項目を選択した場合(段階Ｓ６０７)、通信端末機６１００は第１アプリケーションの動作が維持されるようにしながら通話処理機能がバックグラウンドで遂行されるようにすると共にスピーカーモードで自動転換させる(段階Ｓ６０９)。
【０３６５】
続いて通信端末機６１００は、出力モード転換選択メニューを表示することができる(段階Ｓ６１１)。
【０３６６】
例えば、通信端末機６１００は、通話処理機能がバックグラウンドで遂行されるようにした後図２５(ａ)のように拡張メニュー客体を縮小メニュー客体６１１１_２)に転換させるが、この時、使用者が縮小メニュー客体を右側にドラッグする場合、図２５(ｂ)のような拡張メニュー客体６１１１に再び転換させることができる。この時、再び転換された拡張メニュー客体には図２５(ｂ)に示されたところのように１番ボタン６１１６と２番ボタン６１１７が含まれることができるが、ここで１番ボタン６１１６は出力モードの転換を選択するための‘出力モード転換選択’メニュー項目であり、２番ボタン６１１７は、通話を切るための‘エンド’メニュー項目である。
【０３６７】
この状態で使用者が、‘出力モード転換選択’メニュー項目を選択するようになれば(段階Ｓ６１３)、通信端末機６１００は基本モード(レシーバー６１７０モード)に復帰させる(段階Ｓ６１５)。
【０３６８】
ここで‘出力モード転換選択’メニュー項目を使用者が押す度に、スピーカーモードと基本モードが繰り返し的に転換されることができるので、使用者が基本モードに復帰された以後、再び‘出力モード転換選択’メニュー項目を押す場合再びスピーカーモードに転換されることもできる。
【０３６９】
これによって使用者は、バックグラウンド通話処理が遂行される中にも画面上に表示されるメニュー項目の選択によってスピーカーモード及び基本モードを容易に転換させることができる。
【０３７０】
以下では、添付図面を参照して本発明に対して詳しく説明する。
【０３７１】
まず、本発明の第７実施例を図２６乃至図２７を参照して説明すれば次のようである。
【０３７２】
まず、本発明の第７実施例による通信端末機７１００機能ブロックの一例は、図２２に示されたところのようである。
【０３７３】
同図面に示されたところのように、通信端末機７１００はディスプレイ部７１１０、使用者入力部７１２０、イベント感知部７１３０、お知らせ部７１４０、通話処理部７１５０、判断部７１６０、設定記憶部７１７０を含んで構成されることができる。
【０３７４】
ここで、ディスプレイ部７１１０、使用者入力部７１２０、イベント感知部７１３０、通話処理部７１５０は、図１を参照して説明した第１−１実施例と同一であるので、重複説明を略する。
【０３７５】
設定記憶部７１７０は、アプリケーション設定画面を表示して、使用者の選択によって特定アプリケーションにバックグラウンド通話許容可否をマッチングさせて設定記憶する機能を遂行する。
【０３７６】
例えば、通信端末機７１００に第１アプリケーションと第２アプリケーションが含まれている場合、設定記憶部７１７０はアプリケーション設定画面を表示した後、使用者の選択によって第１アプリケーションは、バックグラウンド通話許容で設定して、第２アプリケーションはバックグラウンド通話禁止で設定することができる。
【０３７７】
判断部７１６０は、各アプリケーションにマッチングされたバックグラウンド通話許容可否設定を判断する機能を遂行する。例えば、判断部７１６０は現在最上位アプリケーションで設定された第１アプリケーションにマッチングされたバックグラウンド通話許容可否設定を判断することができる。
【０３７８】
お知らせ部７１４０は、イベント感知部７１３０が通話受信イベントを感知した場合、最上位レイヤーアプリケーションで設定された第１アプリケーションの動作が維持されるようにしながら、その第１アプリケーションの表示領域のうちで一部領域、または、第１アプリケーションの表示領域とは区別される別途の領域に通話受信お知らせメッセージが表示されるように制御する機能を遂行する。
【０３７９】
この時、お知らせ部７１４０は、通話受信お知らせメッセージを表示する前に判断部７１６０で判断を先に参照することができる。例えば、お知らせ部７１４０は判断部７１６０の判断結果第１アプリケーションにバックグラウンド通話許容が設定された場合に限って通話受信お知らせメッセージが表示されるように制御することができる。
【０３８０】
仮に、第１アプリケーションにバックグラウンド通話禁止が設定された場合には、お知らせ部７１４０は通信端末機７１００に具備された別途のＯＥＭ通話アプリケーションの機能による通話受信お知らせがなされるようにすることができる。
【０３８１】
通信端末機７１００に既に具備されたＯＥＭ通話アプリケーションの機能による通話受信お知らせがなされる場合には第１アプリケーションの動作は止めるようになるが、これは従来技術に該当するので、より詳細な説明は略する。
【０３８２】
以下では、本発明の第７実施例による通信端末機７１００の制御過程を図２７を参照して説明する。
【０３８３】
通信端末機７１００は、第１アプリケーション設定画面を表示した後(段階Ｓ７０１)、使用者の選択によって第１アプリケーションにバックグラウンド通話許容可否をマッチングさせて設定記憶する(段階Ｓ７０３)。
【０３８４】
続いて、通信端末機７１００は、使用者選択によって第１アプリケーションを最上位レイヤーアプリケーションで設定及び実行させるが(段階Ｓ７０５)、この時、通話受信イベントが感知される場合(段階Ｓ７０７)、通信端末機７１００は第１アプリケーションにマッチングされた設定を確認する(段階Ｓ７０９)。
【０３８５】
確認結果、第１アプリケーションに‘バックグラウンド通話許容’が設定された場合(段階Ｓ７１１)、通信端末機７１００は第１アプリケーション動作を維持しながら表示領域のうちで一部領域に通話受信お知らせメッセージを表示する(段階Ｓ７１３)。ここで、通話受信お知らせメッセージは、第１アプリケーションの動作を邪魔しない程度の大きさを有するように構成されることが望ましい。
【０３８６】
以後の過程、すなわち、使用者が通話受信を選択することで、第１アプリケーションの動作が維持されながらバックグラウンドで通話処理が遂行されるようにすることは、前で第１−１実施例で説明したところのようであるので、重複説明は略する。
【０３８７】
他の例として、確認結果第１アプリケーションに‘バックグラウンド通話禁止’が設定された場合(段階Ｓ７１１)、通信端末機７１００は既に具備された通話アプリケーションを呼び出して通話受信お知らせがなされるように制御するが(段階Ｓ７１５)、この時、第１アプリケーションの実行は中止されることができる。この場合の通話受信お知らせは、第１アプリケーションの動作とは無関係であるので、画面全体を占めるように構成されることもできる。
【０３８８】
これによって電話がかかって来た場合、最上位レイヤーアプリケーションで設定されるアプリケーションの設定値によってお互いに異なるインターフェースで通話受信お知らせがなされることができる。
【０３８９】
一方、前述した各実施例を遂行する過程は、所定の記録媒体(例えば、コンピューターで判読可能な)に記憶されたプログラムによってなされることができることは勿論である。
【０３９０】
また、本発明は、前記した特定実施例に限定されるものではなく、本発明の要旨を脱しない範囲内でいろいろに変形及び修正して実施することができるものである。このような変形及び修正が添付される特許請求範囲に属したら本発明に含まれるということは自明であろう。
【０３９１】
〔付記事項〕
上記通信端末機は、使用者入力部と、通話受信イベントを感知するイベント感知部と、前記イベント感知部が通話受信イベントを感知した場合、最上位レイヤーアプリケーションで設定された第１アプリケーションの動作が維持されるようにしながら前記第１アプリケーションの表示領域のうちで一部領域と前記第１アプリケーションの表示領域とは区別される別個の領域のうちで少なくともいずれか一つの領域に通話受信お知らせメッセージが表示されるように制御するお知らせ部と、使用者の前記使用者入力部を通じた通話受信選択を感知する場合、前記第１アプリケーションの動作が維持されるようにしながらバックグラウンドで通話処理を遂行する通話処理部を含んで構成される。
【０３９２】
また、上記通信端末機の制御方法は、通話受信イベントを感知する段階と、最上位レイヤーアプリケーションで設定された第１アプリケーションの動作が維持されるようにしながら前記第１アプリケーションの表示領域のうちで一部領域と前記第１アプリケーションの表示領域とは区別される別個の領域のうちで少なくともいずれか一つの領域に通話受信お知らせメッセージを表示する段階と、使用者の通話受信選択を感知する場合前記第１アプリケーションの動作が維持されるようにしながらバックグラウンドで通話処理を遂行する段階と、を含んでなされる。
【０３９３】
以上説明したところのように、使用者は特定アプリケーションが実行(例えば、動画再生、ゲーム実行)されている状態で電話がかかって来た場合、その特定アプリケーションの実行状態を維持しながらも電話の受信状態が分かって、さらにひいては、その特定アプリケーションの実行状態を維持しながらも相手先と通話することができる。
【０３９４】
特に、相手先と通話する時は、先に実行されていた特定アプリケーションのボリュームを自動で調節することで、通話に邪魔されないようにすることができる。
【０３９５】
上記通信端末機および通信端末機の制御方法は以下のように表現できる。
【０３９６】
〔構成１〕
通信端末機の制御方法において、
(ａ)通話受信イベントを感知する段階と、
(ｂ)最上位レイヤーアプリケーションで設定された第１アプリケーションの動作が維持されるようにしながら前記第１アプリケーションの表示領域のうちで一部領域と前記第１アプリケーションの表示領域とは区別される別個の領域のうちで少なくともいずれか一つの領域に通話受信お知らせメッセージを表示する段階と、
(ｃ)使用者の通話受信選択を感知する場合前記第１アプリケーションの動作が維持されるようにしながらバックグラウンドで通話処理を遂行する段階と、を含むことを特徴とする通信端末機の制御方法。
【０３９７】
〔構成２〕
前記(ｃ)段階では、前記第１アプリケーションの実行によるサウンドに対して黙音処理するか、または該当サウンドの大きさが既設定された大きさで自動調節されるように制御する段階をさらに含むことを特徴とする構成１に記載の通信端末機の制御方法。
【０３９８】
〔構成３〕
前記第１アプリケーションのボリューム調節用ボタンと前記通話処理と関連されたボリューム調節用ボタンを同時に表示する段階をさらに含むことを特徴とする構成１に記載の通信端末機の制御方法。
【０３９９】
〔構成４〕
前記(ｂ)段階の通話受信お知らせメッセージには'見ながら通話'メニューと'通話'メニューが共に含まれて、
前記(ｃ)段階では、使用者の前記'見ながら通話'メニュー選択時には前記第１アプリケーションの動作が維持されるようにしながらバックグラウンドで通話処理を遂行して、使用者の前記'通話'メニュー選択時には通話処理アプリケーションを最上位レイヤーアプリケーションで設定して画面転換を制御して該当通話処理アプリケーションによって通話処理がなされるように制御することを特徴とする構成１に記載の通信端末機の制御方法。
【０４００】
〔構成５〕
前記(ｃ)段階では、使用者の通話受信選択を感知する場合、既に具備された近接センサー部の機能を非活性化させて、前記第１アプリケーションの動作が維持されるようにしながらバックグラウンドで通話処理がなされるように制御することを特徴とする構成１に記載の通信端末機の制御方法。
【０４０１】
〔構成６〕
前記(ｃ)段階では、
既に具備された複数個の通話モードのうちで第１通話モードの選択を感知する場合には、前記近接センサー部の機能を活性化させて、前記複数個の通話モードのうちで第２通話モードの選択を感知する場合には前記近接センサー部の機能を非活性化させることを特徴とする構成５に記載の通信端末機の制御方法。
【０４０２】
〔構成７〕
前記(ｃ)段階では、前記第１通話モードの選択を感知する場合前記第１通話モードに対応されるＯＥＭ通話アプリケーションを最上位レイヤーアプリケーションで設定して画面転換を制御して、該当ＯＥＭ通話アプリケーションによって通話処理がなされるように制御して、前記第２通話モードの選択を感知する場合前記第１アプリケーションの動作が維持されるようにしながらバックグラウンドで通話処理がなされるように制御することを特徴とする構成６に記載の通信端末機の制御方法。
【０４０３】
〔構成８〕
前記(ｂ)段階は、使用者の選択によって複数個の通話モードに対する選択メニューを表示する段階を含むことを特徴とする構成６に記載の通信端末機の制御方法。
【０４０４】
〔構成９〕
前記近接センサー部の機能を非活性化させる段階は、前記通話受信イベントの感知によ
って一時活性化された近接センサー部の機能を非活性に切り替える段階と、活性化されない近接センサー部の状態を維持する段階のうちでいずれか一つの段階であることを特徴とする構成５に記載の通信端末機の制御方法。
【０４０５】
〔構成１０〕
(ｄ)前記第１アプリケーションの再生ボリューム調整のための第１タッチボリュームインターフェースがディスプレイされるように制御する段階を含むことを特徴とする構成１に記載の通信端末機の制御方法。
【０４０６】
〔構成１１〕
前記(ｄ)段階は、前記(ｃ)段階の通話処理と関連されたボリューム調整のための第２タッチボリュームインターフェースがディスプレイされるように制御する段階をさらに含むことを特徴とする構成１０に記載の通信端末機の制御方法。
【０４０７】
〔構成１２〕
前記第１タッチボリュームインターフェースと前記第２タッチボリュームインターフェースが既設定された値の透明度を有するように処理して、前記第１タッチボリュームインターフェース及び前記第２タッチボリュームインターフェースと重畳される前記第１アプリケーションの表示領域の映像が映るようにすることを特徴とする構成１１に記載の通信端末機の制御方法。
【０４０８】
〔構成１３〕
使用者の前記第１タッチボリュームインターフェースと前記第２タッチボリュームインターフェースのうちで少なくともいずれか一つに対するタッチ入力と既設定された時間経過のうちで少なくともいずれか一つが感知されれば、前記第１タッチボリュームインターフェースと前記第２タッチボリュームインターフェースの透明度を既設定された値に増加させる段階をさらに含むことを特徴とする構成１２に記載の通信端末機の制御方法。
【０４０９】
〔構成１４〕
前記第１タッチボリュームインターフェースと前記第２タッチボリュームインターフェースの透明度が既設定された値に増加した以後、使用者の前記第１タッチボリュームインターフェースと前記第２タッチボリュームインターフェースのうちで少なくともいずれか一つに対するタッチ入力が感知されれば、前記第１タッチボリュームインターフェースと前記第２タッチボリュームインターフェースの透明度を既設定された値に減少させる段階をさらに含むことを特徴とする構成１３に記載の通信端末機の制御方法。
【０４１０】
〔構成１５〕
既に具備されたハードウェアボタンに前記第１アプリケーションの再生ボリューム調整機能と前記通話処理と関連された通話ボリューム調整機能のうちで少なくともいずれか一つを割り当てる段階をさらに含んで、
前記ハードウェアボタンの使用者操作によって前記第１タッチボリュームインターフェースと前記第２タッチボリュームインターフェースのうちで少なくともいずれか一つの透明度を変更させる段階をさらに含むことを特徴とする構成１２乃至１４のうちでいずれか一つに記載の通信端末機の制御方法。
【０４１１】
〔構成１６〕
前記(ｄ)段階は、
既に具備されたハードウェアボタンに前記第１アプリケーションの再生ボリューム調整機能と前記通話処理と関連された通話ボリューム調整機能のうちで少なくともいずれか一つを割り当てる段階をさらに含むことを特徴とする構成１１に記載の通信端末機の制御方法。
【０４１２】
〔構成１７〕
(ｅ)前記第１タッチボリュームインターフェースに対するタッチ入力が感知されることによって前記第１アプリケーションの再生ボリュームが調整されるように制御して、前記ハードウェアボタンに対する使用者の操作入力が感知されるか、または前記第２タッチボリュームインターフェースに対するタッチ入力が感知されることによって前記通話処理と関連された通話ボリュームが調整されるように制御する段階をさらに含むことを特徴とす
る構成１６に記載の通信端末機の制御方法。
【０４１３】
〔構成１８〕
前記第２タッチボリュームインターフェースはボリューム調整バーを含んで構成されて、
前記(ｅ)段階では、
前記第２タッチボリュームインターフェースのボリューム調整バーの位置変更のためのタッチドラッグ入力を感知する場合、前記通話処理と関連された通話ボリュームが調整されるように制御して、
前記ハードウェアボタンに対する使用者の操作入力が感知される場合、前記通話処理と関連された通話ボリュームが調整されるように制御すると共に前記第２タッチボリュームインターフェースのボリューム調整バーの位置を変更させることを特徴とする構成１７に記載の通信端末機の制御方法。
【０４１４】
〔構成１９〕
(ｄ)使用者の選択によって既に具備されたＯＥＭ通話アプリケーションが支援する通話関連メニューが前記第１アプリケーションより上位レイヤーに表示されるように制御する段階をさらに含むことを特徴とする構成１に記載の通信端末機の制御方法。
【０４１５】
〔構成２０〕
前記(ｃ)段階以後に、
前記(ｃ)段階の通話処理が終わるまで画面表示上の最上位レイヤーにフローティングメニューボタンを表示する段階をさらに含んで、
前記(ｄ)段階では、前記フローティングメニューボタンの使用者選択によって前記ＯＥＭ通話アプリケーションが支援する通話関連メニューが前記第１アプリケーションより上位レイヤーに表示されるように制御することを特徴とする構成１９に記載の通信端末機の制御方法。
【０４１６】
〔構成２１〕
前記フローティングメニューボタンは、前記ＯＥＭ通話アプリケーションが支援する通話関連メニューが表示された以後にも画面表示上の最上位レイヤーに表示されるように制御することを特徴とする構成２０に記載の通信端末機の制御方法。
【０４１７】
〔構成２２〕
前記ＯＥＭ通話アプリケーションが支援する通話関連メニューが表示されると共に前記第１アプリケーションの動作が終了または止められた場合、
前記(ｄ)段階以後に、前記フローティングメニューボタンの選択による前記ＯＥＭ通話アプリケーションが支援する通話関連メニューの表示終了時点に前記第１アプリケーションが再び動作するように制御する段階をさらに含むことを特徴とする構成２１に記載の通信端末機の制御方法。
【０４１８】
〔構成２３〕
(ｄ)使用者選択のための拡張メニュー客体を画面一部領域に表示する段階をさらに含んで、
前記(ｃ)段階では使用者の通話受信選択を感知する場合、前記第１アプリケーションの動作が維持されるようにしながらバックグラウンドで通話処理を遂行されるように制御すると共に前記拡張メニュー客体を前記拡張メニュー客体より大きさがさらに減った縮小メニュー客体に転換させて表示することを特徴とする構成１に記載の通信端末機の制御方法。
【０４１９】
〔構成２４〕
(ｄ)使用者選択のための拡張メニュー客体を画面一部領域に表示する段階をさらに含んで、
前記(ｃ)段階では、使用者の通話受信選択を感知する場合前記第１アプリケーションの動作が維持されるようにしながらバックグラウンドで通話処理が遂行されるように制御した後、使用者の客体縮小命令を感知した場合前記拡張メニュー客体を前記拡張メニュー客体より大きさがさらに減った縮小メニュー客体に転換させて表示することを特徴とする請
求項１に記載の通信端末機の制御方法。
【０４２０】
〔構成２５〕
前記縮小メニュー客体に対する使用者の客体拡張命令を感知する場合前記縮小メニュー客体を拡張メニュー客体に転換させる段階をさらに含むことを特徴とする構成２３または２４に記載の通信端末機の制御方法。
【０４２１】
〔構成２６〕
前記(ｃ)段階では前記縮小メニュー客体は、前記拡張メニュー客体より既設定された値程度透明度をさらに高めて表示することを特徴とする構成２３または２４に記載の通信端末機の制御方法。
【０４２２】
〔構成２７〕
(ｄ)使用者選択のための拡張メニュー客体を画面一部領域に表示する段階をさらに含んで、
前記(ｃ)段階では使用者の通話受信選択を感知する場合前記第１アプリケーションの動作が維持されるようにしながらバックグラウンドで通話処理が遂行されるように制御すると共に前記拡張メニュー客体を隠し切り替えることを特徴とする構成１に記載の通信端末機の制御方法。
【０４２３】
〔構成２８〕
(ｄ)使用者選択のための拡張メニュー客体を画面一部領域に表示する段階をさらに含んで、
前記(ｃ)段階では、使用者の通話受信選択を感知する場合、前記第１アプリケーションの動作が維持されるようにしながらバックグラウンドで通話処理が遂行されるように制御した後、使用者の客体隠し命令を感知した場合、前記拡張メニュー客体を隠し切り替えることを特徴とする構成１に記載の通信端末機の制御方法。
【０４２４】
〔構成２９〕
使用者の客体隠し解除命令を感知する場合、前記隠し転換された拡張メニュー客体が表示転換されるようにする段階をさらに含むことを特徴とする構成２７または２８に記載の通信端末機の制御方法。
【０４２５】
〔構成３０〕
前記(ｃ)段階では、
使用者の通話受信選択を感知する場合、前記第１アプリケーションの動作が維持されるようにしながらバックグラウンドで通話処理を遂行すると共にサウンドを高出力スピーカーを通じて出力するスピーカーモードに転換させることを特徴とする構成１に記載の通信端末機の制御方法。
【０４２６】
〔構成３１〕
出力モード転換選択メニューを表示する段階と、
使用者の前記出力モード転換選択メニューの操作によって基本モードでスピーカーモードへの転換またはスピーカーモードで基本モードへの復帰を遂行する段階と、をさらに含むことを特徴とする構成３０に記載の通信端末機の制御方法。
【０４２７】
〔構成３２〕
前記(ｂ)段階は、
(ｂ１)使用者の通話受信選択を感知する場合前記第１アプリケーションにマッチングされたバックグラウンド通話許容可否設定を判断する段階と、
(ｂ２)前記(ｂ１)段階の判断結果、前記第１アプリケーションにバックグラウンド通話許容が設定された場合前記通話受信お知らせメッセージを表示する段階と、を含むことを特徴とする構成１に記載の通信端末機の制御方法。
【０４２８】
〔構成３３〕
アプリケーション設定画面を表示する段階と、
使用者の選択によって特定アプリケーションにバックグラウンド通話許容可否をマッチングさせて設定記憶する段階と、をさらに含むことを特徴とする構成３２に記載の通信端末機の制御方法。
【０４２９】
〔構成３４〕
構成１乃至構成１４、構成１６乃至構成２４、構成２７乃至構成２８、構成３０乃至構成３３のうちでいずれか一つの方法を実行させるためのプログラムを記録したコンピューター判読可能記録媒体。
【０４３０】
〔構成３５〕
使用者入力部と、
通話受信イベントを感知するイベント感知部と、
前記イベント感知部が通話受信イベントを感知した場合、最上位レイヤーアプリケーションで設定された第１アプリケーションの動作が維持されるようにしながら前記第１アプリケーションの表示領域のうちで一部領域と前記第１アプリケーションの表示領域とは区別される別個の領域のうちで少なくともいずれか一つの領域に通話受信お知らせメッセージが表示されるように制御するお知らせ部と、
使用者の前記使用者入力部を通じた通話受信選択を感知する場合、前記第１アプリケーションの動作が維持されるようにしながらバックグラウンドで通話処理を遂行する通話処理部と、を含むことを特徴とする通信端末機。
【０４３１】
〔構成３６〕
前記通話処理部は、前記第１アプリケーションの実行によるサウンドに対して黙音処理するか、または該当サウンドの大きさが既設定された大きさで自動調節されるように制御することを特徴とする構成３５に記載の通信端末機。
【０４３２】
〔構成３７〕
前記通話処理部は、前記第１アプリケーションのボリューム調節用ボタンと前記通話処理と関連されたボリューム調節用ボタンが同時に表示されるように制御することを特徴とする構成３５に記載の通信端末機。
【０４３３】
〔構成３８〕
前記通話受信お知らせメッセージには‘見ながら通話'メニューと'通話'メニューが共
に含まれて、
前記通話処理部は、使用者の前記‘見ながら通話'メニュー選択時には前記第１アプリ
ケーションの動作が維持されるようにしながらバックグラウンドで通話処理を遂行して、使用者の前記'通話'メニュー選択時には通話処理アプリケーションを最上位レイヤーアプリケーションで設定して画面転換を制御して該当通話処理アプリケーションによって通話処理がなされるように制御することを特徴とする構成３５に記載の通信端末機。
【０４３４】
〔構成３９〕
外部被写体の近接状態を感知する近接センサー部と、
前記使用者入力部を通じた通話受信選択を感知する場合、既に具備された近接センサー部の機能を非活性化させるセンサー制御部をさらに含むことを特徴とする構成３５に記載の通信端末機。
【０４３５】
〔構成４０〕
前記センサー制御部は、既に具備された複数個の通話モードのうちで第１通話モードの選択を感知する場合には、前記近接センサー部の機能を活性化させて、前記複数個の通話モードのうちで第２通話モードの選択を感知する場合には、前記近接センサー部の機能を非活性化させることを特徴とする構成３９に記載の通信端末機。
【０４３６】
〔構成４１〕
前記通話処理部は、前記使用者入力部を通じた第１通話モードの選択を感知する場合、前記第１通話モードに対応されるＯＥＭ通話アプリケーションを最上位レイヤーアプリケーションで設定して画面転換を制御して、該当ＯＥＭ通話アプリケーションによって通話処理がなされるように制御して、前記使用者入力部を通じた第２通話モードの選択を感知する場合、前記第１アプリケーションの動作が維持されるようにしながらバックグラウンドで通話処理がなされるように制御することを特徴とする構成４０に記載の通信端末機。
【０４３７】
〔構成４２〕
前記お知らせ部は、使用者の選択によって複数個の通話モードに対する選択メニューが表示されるように制御することを特徴とする構成４０に記載の通信端末機。
【０４３８】
〔構成４３〕
前記センサー制御部は、前記複数個の通話モードのうちで第２通話モードの選択を感知する場合には、前記通話受信イベントの感知によって一時活性化された近接センサー部の機能を非活性で切り替えるか、または活性化されない近接センサー部の状態を維持させることを特徴とする構成３９に記載の通信端末機。
【０４３９】
〔構成４４〕
前記使用者入力部は、タッチ入力を感知するタッチパネルを含んで、
活性化された前記近接センサー部は外部被写体の近接を感知した場合、前記タッチパネル上のタッチ入力感知機能を非活性化させることを特徴とする構成３９に記載の通信端末機。
【０４４０】
〔構成４５〕
ディスプレイをさらに含んで、
活性化された前記近接センサー部は外部被写体の近接を感知した場合、前記ディスプレイ部を非活性化させることを特徴とする構成３９に記載の通信端末機。
【０４４１】
〔構成４６〕
前記第１アプリケーションの再生ボリューム調整のための第１タッチボリュームインターフェースがディスプレイ部に表示されるように制御するボリューム調整部を含むことを特徴とする構成３５に記載の通信端末機。
【０４４２】
〔構成４７〕
前記ボリューム調整部は、前記通話処理部による通話処理と関連されたボリューム調整のための第２タッチボリュームインターフェースがディスプレイされるように制御することを特徴とする構成４６に記載の通信端末機。
【０４４３】
〔構成４８〕
前記ボリューム調整部は、第１タッチボリュームインターフェースと前記第２タッチボリュームインターフェースが既設定された値の透明度を有するように処理して、前記第１タッチボリュームインターフェース及び前記第２タッチボリュームインターフェースと重畳される前記第１アプリケーションの表示領域の映像が映るようにすることを特徴とする構成４７に記載の通信端末機。
【０４４４】
〔構成４９〕
使用者の前記第１タッチボリュームインターフェースと前記第２タッチボリュームインターフェースのうちで少なくともいずれか一つに対するタッチ入力と既設定された時間経過のうちで少なくともいずれか一つが感知されれば、前記ボリューム調整部は前記第１タッチボリュームインターフェースと前記第２タッチボリュームインターフェースの透明度を既設定された値に増加させることを特徴とする構成４８に記載の通信端末機。
【０４４５】
〔構成５０〕
前記第１タッチボリュームインターフェースと前記第２タッチボリュームインターフェースの透明度が既設定された値に増加した以後、使用者の前記第１タッチボリュームインターフェースと前記第２タッチボリュームインターフェースのうちで少なくともいずれか一つに対するタッチ入力が感知されれば、前記ボリューム調整部は前記第１タッチボリュームインターフェースと前記第２タッチボリュームインターフェースの透明度を既設定された値に減少させることを特徴とする構成４９に記載の通信端末機。
【０４４６】
〔構成５１〕
前記ボリューム調整部は、前記使用者入力部に含まれたハードウェアボタンに前記第１アプリケーションの再生ボリューム調整機能と前記通話処理と関連された通話ボリューム調整機能のうちで少なくともいずれか一つを割り当てて、前記ハードウェアボタンの使用者操作によって前記第１タッチボリュームインターフェースと前記第２タッチボリュームインターフェースのうちで少なくともいずれか一つの透明度を変更させることを特徴とする構成４８乃至５０のうちでいずれか一つに記載の通信端末機。
【０４４７】
〔構成５２〕
前記ボリューム調整部は、前記使用者入力部に含まれたハードウェアボタンに前記第１アプリケーションの再生ボリューム調整機能と前記通話処理と関連された通話ボリューム調整機能のうちで少なくともいずれか一つを割り当てることを特徴とする構成４７に記載の通信端末機。
【０４４８】
〔構成５３〕
前記ボリューム調整部は、前記第１タッチボリュームインターフェースに対するタッチ入力が感知されることによって前記第１アプリケーションの再生ボリュームが調整されるように制御して、前記ハードウェアボタンに対する使用者の操作入力が感知されるか、または前記第２タッチボリュームインターフェースに対するタッチ入力が感知されることによって前記通話処理と関連された通話ボリュームが調整されるように制御することを特徴とする構成５２に記載の通信端末機。
【０４４９】
〔構成５４〕
前記第２タッチボリュームインターフェースは、ボリューム調整バーを含んで構成されて、
前記ボリューム調整部は、前記第２タッチボリュームインターフェースのボリューム調整バーの位置変更のためのタッチドラッグ入力を感知する場合前記通話処理と関連された通話ボリュームが調整されるように制御して、前記ハードウェアボタンに対する使用者の操作入力が感知される場合前記通話処理と関連された通話ボリュームが調整されるように制御すると共に前記第２タッチボリュームインターフェースのボリューム調整バー位置が変更されるように制御することを特徴とする構成５３に記載の通信端末機。
【０４５０】
〔構成５５〕
使用者の選択によって前記既に具備されたＯＥＭ通話アプリケーションが支援する通話関連メニューが前記第１アプリケーションより上位レイヤーに表示されるように制御するＯＥＭ通話メニュー呼び出し部をさらに含むことを特徴とする構成３５に記載の通信端末機。
【０４５１】
〔構成５６〕
前記通話処理部は、バックグラウンドで遂行される通話処理が終わるまで画面表示上の最上位レイヤーにフローティングメニューボタンを表示して、
前記ＯＥＭ通話メニュー呼び出し部は、前記フローティングメニューボタンの使用者選択によって前記ＯＥＭ通話アプリケーションが支援する通話関連メニューが前記第１アプリケーションより上位レイヤーに表示されるように制御することを特徴とする構成５５に記載の通信端末機。
【０４５２】
〔構成５７〕
前記通話処理部は、前記ＯＥＭ通話アプリケーションが支援する通話関連メニューが表示された以後にもフローティングメニューボタンが画面表示上の最上位レイヤーに表示されるように制御することを特徴とする構成５６に記載の通信端末機。
【０４５３】
〔構成５８〕
前記ＯＥＭ通話アプリケーションが支援する通話関連メニューが表示されると共に前記第１アプリケーションの動作が終了、または止められた場合、前記ＯＥＭ通話メニュー呼び出し部は、前記フローティングメニューボタンの使用者選択による前記ＯＥＭ通話アプリケーションが支援する通話関連メニューの表示終了時点に前記第１アプリケーションが再び動作するように制御することを特徴とする構成５７に記載の通信端末機。
【０４５４】
〔構成５９〕
使用者選択のための拡張メニュー客体を画面一部領域に表示するメニュー表示部をさらに含んで、
前記メニュー表示部は、前記通話処理がバックグラウンドで遂行される時点に前記拡張メニュー客体を前記拡張メニュー客体より大きさがさらに減った縮小メニュー客体に転換させて表示することを特徴とする構成３５に記載の通信端末機。
【０４５５】
〔構成６０〕
使用者選択のための拡張メニュー客体を画面一部領域に表示するメニュー表示部をさらに含んで、
前記メニュー表示部は、前記通話処理がバックグラウンドで遂行された以後、使用者の客体縮小命令を感知する場合、前記拡張メニュー客体を前記拡張メニュー客体より大きさがさらに減った縮小メニュー客体に転換させて表示することを特徴とする構成３５に記載の通信端末機。
【０４５６】
〔構成６１〕
前記縮小メニュー客体に対する使用者の客体拡張命令を感知する場合前記メニュー表示部は、前記縮小メニュー客体を前記拡張メニュー客体に転換させることを特徴とする構成５９または６０に記載の通信端末機の制御方法。
【０４５７】
〔構成６２〕
前記メニュー表示部は、前記縮小メニュー客体を前記拡張メニュー客体より既設定された値程度透明度をさらに高めて表示することを特徴とする構成５９にまたは６０に記載の通信端末機。
【０４５８】
〔構成６３〕
使用者選択のための拡張メニュー客体を画面一部領域に表示するメニュー表示部をさらに含んで、
前記メニュー表示部は、前記通話処理がバックグラウンドで遂行される時点に前記拡張メニュー客体を隠し切り替えることを特徴とする構成３５に記載の通信端末機。
【０４５９】
〔構成６４〕
使用者選択のための拡張メニュー客体を画面一部領域に表示するメニュー表示部をさらに含んで、
前記メニュー表示部は、前記通話処理がバックグラウンドで遂行された以後、使用者の客体隠し命令を感知する場合、前記拡張メニュー客体を隠し切り替えることを特徴とする構成３５に記載の通信端末機。
【０４６０】
〔構成６５〕
使用者の客体隠し解除命令を感知する場合前記メニュー表示部は、前記隠し転換された拡張メニュー客体が表示転換されるようにすることを特徴とする構成６３または６４に記載の通信端末機。
【０４６１】
〔構成６６〕
使用者の前記使用者入力部を通じた通話受信選択を感知する場合、サウンドを高出力スピーカーを通じて出力するスピーカーモードに転換させるサウンド出力モード転換部をさらに含むことを特徴とする構成３５に記載の通信端末機。
【０４６２】
〔構成６７〕
出力モード転換選択メニューを表示する表示制御部をさらに含んで、
前記サウンド出力モード転換部は、使用者の前記出力モード転換選択メニューの操作によって基本モードからスピーカーモードへの転換またはスピーカーモードから基本モードへの復帰を遂行することを特徴とする構成６６に記載の通信端末機。
【０４６３】
〔構成６８〕
前記第１アプリケーションにマッチングされたバックグラウンド通話許容可否の設定を判断する判断部をさらに含んで、
前記お知らせ部は、前記判断部の判断結果前記第１アプリケーションにバックグラウンド通話許容が設定された場合前記通話受信お知らせメッセージを表示することを特徴とする構成３５に記載の通信端末機。
【０４６４】
〔構成６９〕
アプリケーション設定画面を表示して、使用者の選択によって特定アプリケーションにバックグラウンド通話許容可否をマッチングさせて、設定記憶する設定記憶部をさらに含むことを特徴とする構成６８に記載の通信端末機。
【符号の説明】
【０４６５】
１１１０，１１１０’  ディスプレイ部
１１２０、１１２０’  使用者入力部
１１３０，１１３０’  イベント感知部
１１４０，１１４０’  お知らせ部
１１５０、１１５０’  通話処理部
【図１】
2015159557.tif 000003
【図２】
2015159557.tif 000004
【図３】
2015159557.tif 000005
【図４】
2015159557.tif 000006
【図５】
2015159557.tif 000007
【図６】
2015159557.tif 000008
【図７】
2015159557.tif 000009
【図８】
2015159557.tif 000010
【図９】
2015159557.tif 000011
【図１０】
2015159557.tif 000012
【図１１】
2015159557.tif 000013
【図１２】
2015159557.tif 000014
【図１３】
2015159557.tif 000015
【図１４】
2015159557.tif 000016
【図１５】
2015159557.tif 000017
【図１６】
2015159557.tif 000018
【図１７】
2015159557.tif 000019
【図１８】
2015159557.tif 000020
【図１９】
2015159557.tif 000021
【図２０】
2015159557.tif 000022
【図２１】
2015159557.tif 000023
【図２２】
2015159557.tif 000024
【図２３】
2015159557.tif 000025
【図２４】
2015159557.tif 000026
【図２５】
2015159557.tif 000027
【図２６】
2015159557.tif 000028
【図２７】
2015159557.tif 000029